(57)【特許請求の範囲】
【請求項１】
ユーザの健康を管理する健康管理システムであって、
ユーザについての測定により生成された測定データを取得する取得部と、
ユーザについての測定の継続性に関する評価のための所定継続性評価基準に基づいて、前記取得部が前記測定データを取得した時の間隔に応じた継続性評価値と、ユーザの健康に関する評価のための所定健康評価基準に基づいて、前記取得部により取得された測定データに応じた健康評価値とを算定する算定部と、
前記継続性評価値および前記健康評価値に応じて、事物を表す画像であるオブジェクトを特定する特定部と、
前記特定部により特定されたオブジェクトを表示する表示部とを備える
健康管理システム。
【請求項２】
前記特定部は、
前記健康評価値が第１値である場合には、物体の形状を表わす第１画像を前記オブジェクトとして特定し、
前記健康評価値が前記第１値とは異なる第２値である場合には、前記第１画像とは異なる、物体の形状を表す第２画像を、前記オブジェクトとして特定する
請求項１記載の健康管理システム。
【請求項３】
前記第２画像は、前記第１画像と同じ物体を、前記第１画像とは異なる数量にして、表す画像である
請求項２記載の健康管理システム。
【請求項４】
前記特定部は、前記健康評価値に応じて、人が摂取し得る物体であって前記測定データと関連する健康状態の悪化の要因となる物体の形状を表す画像を、前記オブジェクトとして特定する
請求項２記載の健康管理システム。
【請求項５】
前記算定部は、前記測定データが測定されたユーザの健康について良好な状態である程、高い値となるように前記健康評価値の算定を行い、
前記特定部は、前記健康評価値が高い程、高い価値を有する物体の形状を表す画像を、前記オブジェクトとして特定する
請求項２記載の健康管理システム。
【請求項６】
前記特定部は、物体の形状を表す複数の画像それぞれと前記健康評価値とを、前記健康評価値が高い程、高い価値を有する物体の形状を表す画像と対応するように予め対応付けた対応情報に基づいて、前記複数の画像のうち前記健康評価値に対応する画像を前記オブジェクトとして特定する
請求項５記載の健康管理システム。
【請求項７】
前記算定部は、前記測定データが測定されたユーザの健康について劣悪な状態である程、高い値となるように前記健康評価値の算定を行い、
前記特定部は、前記健康評価値が高い程、劣悪な状態となった物体の形状を表す画像を、前記オブジェクトとして特定する
請求項２記載の健康管理システム。
【請求項８】
前記算定部は、前記取得部により取得された測定データを、健康指導を行う指導者が入力した指導補正値に基づいて補正した上で、前記所定健康評価基準に基づく前記健康評価値の算定を行う
請求項１〜７のいずれか一項に記載の健康管理システム。
【請求項９】
前記健康管理システムは、ユーザ端末、及び、当該ユーザ端末と通信可能なサーバ装置を備え、
前記サーバ装置は、前記取得部と前記算定部と前記特定部と、前記取得部により取得された測定データを記憶するための記憶部と、前記特定部により特定されたオブジェクトを前記ユーザ端末に送信する出力部とを有し、
前記ユーザ端末は、
ユーザについての測定により生成された前記測定データと当該ユーザを識別するユーザ識別情報とを対応付けて前記サーバ装置に送信し、前記サーバ装置の前記出力部により送信されたオブジェクトを受信する通信部と、
前記表示部とを有し、
前記表示部は、前記通信部により受信されたオブジェクトを表示し、
前記取得部は、前記ユーザ端末から送信された前記測定データを受信することにより、前記測定データの前記取得を行い、
前記記憶部は、前記取得部により取得された前記測定データを、当該測定データに対応付けて前記ユーザ端末から送信された前記ユーザ識別情報に、対応付けて記憶し、
前記算定部は、ユーザ識別情報に対応付けて前記記憶部に記憶された測定データに応じて当該ユーザ識別情報で識別されるユーザの前記継続性評価値および前記健康評価値の算定を行い、
前記出力部は、前記継続性評価値および前記健康評価値に応じて、前記特定部により特定されたオブジェクトを、当該ユーザを識別するユーザ識別情報の送信元のユーザ端末へと送信する
請求項１〜８のいずれか一項に記載の健康管理システム。
【請求項１０】
前記健康管理システムは更に、健康指導を行う指導者が指導データを入力するための指導者端末を備え、
前記記憶部は更に、健康指導を行う指導者と、当該指導者に対応する指導対象者となるユーザとを対応付けた指導対象者管理テーブルを記憶し、
前記出力部は更に、指導者が指導データを入力するための前記指導者端末に、当該指導者に対応する指導対象者についての前記記憶部に記憶している測定データを送信し、
前記指導者端末は、測定データを受信して表示し、入力された指導データを前記サーバ装置に送信し、
前記取得部は更に、前記指導者端末から送信された前記指導データを、受信することにより取得し、
前記出力部は、ユーザ端末へと送信する前記オブジェクトに付して、前記取得部により取得された前記指導データを送信し、
前記通信部は、前記出力部により送信された指導データを受信し、
前記表示部は、前記通信部により受信された前記オブジェクトに加えて前記通信部により受信された前記指導データを表示する
請求項９記載の健康管理システム。
【請求項１１】
前記健康管理システムは更に、
前記継続性評価値に応じて前記ユーザに対してサービスの提供を受けるために利用可能なポイントを付与するポイント付与部を備える
請求項１記載の健康管理システム。
【請求項１２】
前記測定データは、血圧、血糖値、体重及び身体活動量のうちの１つ以上についてのデータである
請求項１〜１１のいずれか一項に記載の健康管理システム。
【請求項１３】
前記オブジェクトは、ホース、ダム、道路、店舗、森林、食塩、砂糖、ごはん、パン、ケーキ、たばこ、及び、アルコール飲料のうちの１つ以上を表す画像である
請求項１〜１２のいずれか一項に記載の健康管理システム。
【請求項１４】
ユーザの健康を管理する健康管理装置であって、
ディスプレイとプロセッサとを備え、
前記プロセッサは、ユーザについての測定により生成された測定データに基づいて定められた継続性評価値および健康評価値に応じて、事物を表す画像であるオブジェクトを特定し、特定した当該オブジェクトを前記ディスプレイに表示させるための制御信号を送出し、
前記ディスプレイは、前記プロセッサから送出される前記オブジェクトを表示させるための前記制御信号に応じて当該オブジェクトを表示する
健康管理装置。
【請求項１５】
ユーザの健康を管理する健康管理システムを構成するコンピュータにより実行される表示方法であって、
ユーザについての測定により生成された測定データを取得する取得ステップと、
ユーザについての測定の継続性に関する評価のための所定継続性評価基準に基づいて、前記取得ステップにおいて取得された測定データを取得した時の間隔に応じた継続性評価値と、ユーザの健康に関する評価のための所定健康評価基準に基づいて、前記取得ステップにおいて取得された測定データに応じた健康評価値とを算定する算定ステップと、
前記継続性評価値および前記健康評価値に応じて、事物を表す画像であるオブジェクトを特定する特定ステップと、
前記特定ステップにおいて特定されたオブジェクトを表示する表示ステップとを含む
表示方法。
【発明の詳細な説明】
【技術分野】
【０００１】
本開示は、健康管理のための情報の表示制御技術に関する。
【背景技術】
【０００２】
特許文献１は、治療の継続努力が必要な生活習慣病患者及びその予備群の携帯端末に、ネットワークを介して、変化する予測診断増進結果表示画面を送信して、健康増進等を図る健康管理システムを開示する。
【０００３】
また、特許文献２は、測定等により得られる生活習慣等に関する指標である生活指標と身体の生理的な状態に関する指標である生体指標とから、評価対象者の健康状態の評価を低下させている生体指標を注目指標として選択し、生体指標及び生活指標の過去のデータから、注目指標と最も関連のある生活指標を改善可能因子として抽出し、健康状態の評価と共に評価対象者に表示する健康状態判断装置を開示する。
【先行技術文献】
【特許文献】
【０００４】
【特許文献１】特開２００４−１５７５９６号公報
【特許文献２】特開２０１０−１２２９０１号公報
【発明の概要】
【発明が解決しようとする課題】
【０００５】
本開示は、健康管理の対象となるユーザの健康状態を直感的に把握できるように表示する健康管理システム及び健康管理装置、並びに、その健康管理システムで用いられる表示方法を提供する。
【課題を解決するための手段】
【０００６】
本開示における健康管理システムは、ユーザの健康を管理する健康管理システムであって、ユーザについての測定により生成された測定データを取得する取得部と、ユーザについての測定の継続性に関する評価のための所定継続性評価基準に基づいて、前記取得部が前記測定データを取得した時の間隔に応じた継続性評価値と、ユーザの健康に関する評価のための所定健康評価基準に基づいて、前記取得部により取得された測定データに応じた健康評価値とを算定する算定部と、前記継続性評価値および前記健康評価値に応じて、事物を表す画像であるオブジェクトを特定する特定部と、前記特定部により特定されたオブジェクトを表示する表示部とを備える。
【０００７】
また、本開示における健康管理装置は、ユーザの健康を管理する健康管理装置であって、ディスプレイとプロセッサとを備え、前記プロセッサは、ユーザについての測定により生成された測定データに基づいて定められた継続性評価値および健康評価値に応じて、事物を表す画像であるオブジェクトを特定し、特定した当該オブジェクトを前記ディスプレイに表示させるための制御信号を送出し、前記ディスプレイは、前記プロセッサから送出される前記オブジェクトを表示させるための前記制御信号に応じて当該オブジェクトを表示する。
【０００８】
また、本開示における表示方法は、ユーザの健康を管理する健康管理システムを構成するコンピュータにより実行される表示方法であって、ユーザについての測定により生成された測定データを取得する取得ステップと、ユーザについての測定の継続性に関する評価のための所定継続性評価基準に基づいて、前記取得ステップにおいて取得された測定データを取得した時の間隔に応じた継続性評価値と、ユーザの健康に関する評価のための所定健康評価基準に基づいて、前記取得ステップにおいて取得された測定データに応じた健康評価値とを算定する算定ステップと、前記継続性評価値および前記健康評価値に応じて、事物を表す画像であるオブジェクトを特定する特定ステップと、前記特定ステップにおいて特定されたオブジェクトを表示する表示ステップとを含む。
【発明の効果】
【０００９】
本開示における健康管理システム等によれば、測定の継続性に関する評価と健康に関する評価とがオブジェクトに置き換えて表示されるため、ユーザは測定の継続状態と健康状態とを直感的に把握し得る。
【図面の簡単な説明】
【００１０】
【図１】実施の形態１に係る健康管理システムの一構成例を示す概略図である。
【図２】健康管理システムに係る機能ブロック図である。
【図３】サーバ装置のハードウェア構成例を示す図である。
【図４】ユーザ端末のハードウェア構成例を示す図である。
【図５】指導者端末のハードウェア構成例を示す図である。
【図６】指導対象者管理テーブルの一構成例を示す図である。
【図７】指導データ管理テーブルの一構成例を示す図である。
【図８】測定データ管理テーブルの一構成例を示す図である。
【図９】継続性評価値についてのオブジェクト管理テーブルの一構成例を示す図である。
【図１０】健康評価値についてのオブジェクト管理テーブルの一構成例を示す図である。
【図１１】健康評価値についてのオブジェクト管理テーブルの別の一構成例を示す図である。
【図１２】健康評価値についてのオブジェクト管理テーブルのまた別の一構成例を示す図である。
【図１３】健康評価値についてのオブジェクト管理テーブルの更に別の一構成例を示す図である。
【図１４】サーバ装置の算定部による健康評価値及び継続性評価値の算定に係る動作を示すフローチャートである。
【図１５】血圧パラメータの算定に用いられる血圧評価基準テーブルの一例を示す図である。
【図１６】血糖値パラメータの算定に用いられる血糖値評価基準テーブルの一例を示す図である。
【図１７】血圧及び血圧値の評価パラメータの算定に用いられる全期間用血圧血糖値評価基準テーブルの一例を示す図である。
【図１８】血圧及び血圧値の評価パラメータの算定に用いられる最近１週間用血圧血糖値評価基準テーブルの一例を示す図である。
【図１９】体重の評価パラメータの算定に用いられる全期間用体重評価基準テーブルの一例を示す図である。
【図２０】体重の評価パラメータの算定に用いられる最近１週間用体重評価基準テーブルの一例を示す図である。
【図２１】身体活動量の評価パラメータの算定に用いられる全期間用体重評価基準テーブルの一例を示す図である。
【図２２】身体活動量の評価パラメータの算定に用いられる最近１週間用体重評価基準テーブルの一例を示す図である。
【図２３】傾向パラメータの算定に用いられる傾向評価基準テーブルの一例を示す図である。
【図２４】サーバ装置の特定部によるオブジェクトの特定に係る動作を示すフローチャートである。
【図２５】継続性評価値についてのオブジェクトの使用例を示す図である。
【図２６】評価パラメータに応じて特定されるオブジェクトの一例を示す図である。
【図２７】実施の形態１に係る健康管理システムにおける装置間の通信シーケンスを示す図である。
【図２８】実施の形態１におけるユーザ端末でのオブジェクトの表示例を示す図である。
【図２９】実施の形態２に係るサーバ装置の機能ブロック図である。
【図３０】実施の形態２におけるユーザ端末でのオブジェクトの表示例を示す図である。
【図３１】実施の形態３に係る健康管理システムの一構成例を示す概略図である。
【図３２】実施の形態３に係る健康管理システムにおける装置間の通信シーケンスを示す図である。
【図３３】実施の形態３におけるユーザ端末でのオブジェクトの表示例を示す図である。
【発明を実施するための形態】
【００１１】
健康管理の対象となるユーザの健康状態を直感的に把握できるように表示すべく、本開示における健康管理システムは、ユーザの健康を管理する健康管理システムであって、ユーザについての測定により生成された測定データを取得する取得部と、ユーザの健康に関する評価のための所定健康評価基準に基づいて、前記取得部により取得された測定データに応じた健康評価値を算定する算定部と、前記算定部により算定された健康評価値に応じて、事物を表す画像であるオブジェクトを特定する特定部と、前記特定部により特定されたオブジェクトを表示する表示部とを備える。
【００１２】
これにより、測定で得られたユーザの健康に係る評価を、事物を表す画像であるオブジェクトに仮想化して（つまり置き換えて）表示するため、ユーザは、オブジェクトの閲覧により、その事物に関する経験、知識等に基づいて健康状態について直感的に把握し得る。
【００１３】
ここで、例えば、前記特定部は、前記健康評価値が第１値である場合には、物体の形状を表わす第１画像を前記オブジェクトとして特定し、前記健康評価値が前記第１値とは異なる第２値である場合には、前記第１画像とは異なる、物体の形状を表す第２画像を、前記オブジェクトとして特定することとしてもよい。
【００１４】
これにより、測定で得られたユーザの健康に係る評価が、物体の形状を表す画像であるオブジェクトに仮想化して表示されることになる。ここで、人が物体について一定の価値についての認識を共有し易いことから、その物体に関する経験、知識等に基づいてユーザは、オブジェクトの閲覧により、健康状態について直感的に把握し得る。
【００１５】
また、例えば、前記第２画像は、前記第１画像と同じ物体を、前記第１画像とは異なる数量にして、表す画像であることとしてもよい。
【００１６】
これにより、健康に係る評価の相違が、物体の個数、面積等の数量における相違として表されるため、ユーザは、オブジェクトの閲覧により、健康状態の程度を直感的に把握し得る。
【００１７】
また、前記特定部は、前記算定部により算定された健康評価値に応じて、人が摂取し得る物体であって前記測定データと関連する健康状態の悪化の要因となる物体の形状を表す画像を、前記オブジェクトとして特定することとしてもよい。
【００１８】
これにより、例えば、特定の飲食物（例えば食塩等）の摂り過ぎが特定種別の測定データ（例えば血圧）に基づき評価される健康状態を悪くする要因の１つである場合に、その健康状態が、特定の飲食物を表す画像で表示されるようになり、閲覧したユーザにその特定の飲食物の摂り過ぎへの注意が喚起され得るようになる。
【００１９】
また、前記算定部は、前記測定データが測定されたユーザの健康について良好な状態である程、高い値となるように前記健康評価値の算定を行い、前記特定部は、前記算定部により算定された健康評価値が高い程、高い価値を有する物体の形状を表す画像を、前記オブジェクトとして特定することとしてもよい。
【００２０】
これにより、ユーザは、オブジェクトを見て感じる価値によって直感的に健康状態を把握し得る。
【００２１】
また、前記特定部は、物体の形状を表す複数の画像それぞれと健康評価値とを、健康評価値が高い程、高い価値を有する物体の形状を表す画像と対応するように予め対応付けた対応情報に基づいて、前記複数の画像のうち前記算定部により算定された健康評価値に対応する画像を前記オブジェクトとして特定することとしてもよい。
【００２２】
これにより、予め適切に対応情報が定めておくことで、ユーザが適切に健康状態の把握を行えるようになる。
【００２３】
また、前記算定部は、前記測定データが測定されたユーザの健康について劣悪な状態である程、高い値となるように前記健康評価値の算定を行い、前記特定部は、前記算定部により算定された健康評価値が高い程、劣悪な状態となった物体の形状を表す画像を、前記オブジェクトとして特定することとしてもよい。
【００２４】
これにより、例えばユーザについて測定された血糖値が高い程、劣悪な状態となった物体の形状（例えば不自然に膨れた店舗等の建築物）を表す画像であるオブジェクトが表示されるため、ユーザは、オブジェクトを見ることで健康状態が良好でないことを直感的に認識できるようになる。
【００２５】
また、前記算定部は、前記取得部により取得された測定データを、健康指導を行う指導者が入力した指導補正値に基づいて補正した上で、前記所定健康評価基準に基づく健康評価値の前記算定を行うこととしてもよい。
【００２６】
これにより、指導者が指導補正値により、健康状態を実際より良く見せ、或いは悪く見せることで、ユーザの健康増進へのモチベーションの向上が図れる。
【００２７】
また、前記健康管理システムは、ユーザ端末、及び、当該ユーザ端末と通信可能なサーバ装置を備え、前記サーバ装置は、前記取得部と前記算定部と前記特定部と、前記取得部により取得された測定データを記憶するための記憶部と、前記特定部により特定されたオブジェクトを前記ユーザ端末に送信する出力部とを有し、前記ユーザ端末は、ユーザについての測定により生成された前記測定データと当該ユーザを識別するユーザ識別情報とを対応付けて前記サーバ装置に送信し、前記サーバ装置の前記出力部により送信されたオブジェクトを受信する通信部と、前記表示部とを有し、前記表示部は、前記通信部により受信されたオブジェクトを表示し、前記取得部は、前記ユーザ端末から送信された前記測定データを受信することにより、前記測定データの前記取得を行い、前記記憶部は、前記取得部により取得された前記測定データを、当該測定データに対応付けて前記ユーザ端末から送信された前記ユーザ識別情報に、対応付けて記憶し、前記算定部は、ユーザ識別情報に対応付けて前記記憶部に記憶された測定データに応じて当該ユーザ識別情報で識別されるユーザの健康に関する健康評価値の前記算定を行い、前記出力部は、前記算定部により算定された、ユーザの健康に係る前記健康評価値に応じて、前記特定部により特定されたオブジェクトを、当該ユーザを識別するユーザ識別情報の送信元のユーザ端末へと送信することとしてもよい。
【００２８】
これにより、ユーザはユーザ端末に表示されるオブジェクトを確認することで、自分の測定により算定された健康状態等の評価について、直感的に把握し得る。また、ユーザ端末はサーバ装置と通信する機能があれば、測定データを仮想的なオブジェクトに変換する機能を有さなくてもよい。このため、ユーザ端末は、例えば比較的小型化し易くユーザが利用し易いものとなる。
【００２９】
また、前記健康管理システムは更に、健康指導を行う指導者が指導データを入力するための指導者端末を備え、前記記憶部は更に、健康指導を行う指導者と、当該指導者に対応する指導対象者となるユーザとを対応付けた指導対象者管理テーブルを記憶し、前記出力部は更に、指導者が指導データを入力するための前記指導者端末に、当該指導者に対応する指導対象者についての前記記憶部に記憶している測定データを送信し、前記指導者端末は、測定データを受信して表示し、入力された指導データを前記サーバ装置に送信し、前記取得部は更に、前記指導者端末から送信された前記指導データを、受信することにより取得し、前記出力部は、ユーザ端末へと送信する前記オブジェクトに付して、前記取得部により取得された前記指導データを送信し、前記通信部は、前記出力部により送信された指導データを受信し、前記表示部は、前記通信部により受信された前記オブジェクトに加えて前記通信部により受信された前記指導データを表示することとしてもよい。
【００３０】
これにより、ユーザは、ユーザ端末に表示される指導者からの指導データを確認し得る。即ち、健康管理システムは、健康指導を受ける指導対象者であるユーザに対して、健康状態に関する評価を直感的に分かり易いようにオブジェクトを提示できる。
【００３１】
また、前記取得部は、前記測定データを逐次取得し、前記算定部は更に、ユーザについての測定の継続性に関する評価のための所定継続性評価基準に基づいて、前記取得部が前記測定データを取得した時の間隔に応じた継続性評価値を算定し、前記特定部は更に前記算定部により算定された継続性評価値に応じて、前記オブジェクトを特定することとしてもよい。
【００３２】
これにより、ユーザによる測定の継続性についての評価がオブジェクトに仮想化して表示されるので、ユーザはオブジェクトの閲覧により、測定の継続性について直感的に把握し得る。このことは、健康管理の前提としての測定の促進のために有用となる。
【００３３】
また、前記健康管理システムは更に、前記継続性評価値に応じて前記ユーザに対してサービスの提供を受けるために利用可能なポイントを付与するポイント付与部を備えることとしてもよい。
【００３４】
これにより、ユーザにとっての測定へのモチベーションの向上が図れる。
【００３５】
また、前記測定データは、血圧、血糖値、体重及び身体活動量のうちの１つ以上についてのデータであることとしてもよい。
【００３６】
これにより、ユーザは、オブジェクトによる表示を閲覧することで、血圧、血糖値、体重及び身体活動量のいずれかの状態を、直感的に把握し得る。
【００３７】
また、前記オブジェクトは、ホース、ダム、道路、店舗、森林、食塩、砂糖、ごはん、パン、ケーキ、たばこ、及び、アルコール飲料のうちの１つ以上を表す画像であることとしてもよい。
【００３８】
これにより、人々に広く知られている物体（ホース、ダム等）を表した画像であるオブジェクトを閲覧することで、これらの物体についての知識等に基づいて、ユーザは健康状態について直感的に把握し得る。
【００３９】
また、本開示における健康管理装置は、ユーザの健康を管理する健康管理装置であって、ディスプレイとプロセッサとを備え、前記プロセッサは、ユーザについての測定により生成された測定データに基づいて定められた健康評価値に応じて、事物を表す画像であるオブジェクトを特定し、特定した当該オブジェクトを前記ディスプレイに表示させるための制御信号を送出し、前記ディスプレイは、前記プロセッサから送出される前記オブジェクトを表示させるための前記制御信号に応じて当該オブジェクトを表示する。
【００４０】
これにより、ディスプレイに表示されるオブジェクトを閲覧することで、ユーザは自分の健康状態について直感的に把握し得る。
【００４１】
また、本開示における表示方法は、ユーザの健康を管理する健康管理システムにおいて用いられる表示方法であって、ユーザについての測定により生成された測定データを取得する取得ステップと、ユーザの健康に関する評価のための所定健康評価基準に基づいて、前記取得ステップにおいて取得された測定データに応じた健康評価値を算定する算定ステップと、前記算定ステップにおいて算定された健康評価値に応じて、事物を表す画像であるオブジェクトを特定する特定ステップと、前記特定ステップにおいて特定されたオブジェクトを表示する表示ステップとを含む。
【００４２】
これにより、ユーザは、事物を表す画像であるオブジェクトの閲覧により、その事物に関する経験、知識等に基づいて、自分の健康状態について直感的に把握し得る。
【００４３】
なお、これらの包括的又は具体的な各種態様には、装置、システム、方法、集積回路、コンピュータプログラム、コンピュータで読み取り可能な記録媒体等の１つ又は複数の組合せが含まれる。
【００４４】
以下、適宜図面を参照しながら、実施の形態を詳細に説明する。但し、必要以上に詳細な説明は省略する場合がある。例えば、既に良く知られた事項の詳細説明や実質的に同一の構成に対する重複説明を省略する場合がある。これは、以下の説明が不必要に冗長になるのを避け、当業者の理解を容易にするためである。
【００４５】
なお、発明者は、当業者が本開示を十分に理解するために図面及び以下の説明を提供するのであって、これらによって特許請求の範囲に記載の主題を限定することを意図するものではない。即ち、以下の具体例を用いた説明で示される数値、形状、構成要素、構成要素の配置及び接続形態、並びに、ステップ（工程）及びステップの順序等は、一例であって、特許請求の範囲に記載の主題を限定するものではない。以下の実施の形態における構成要素のうち、独立請求項に記載されていない構成要素については、任意に付加可能な構成要素である。また、各図は、模式図であり、必ずしも厳密に図示されたものではない。
【００４６】
（実施の形態１）
以下、図１〜図２８を用いて、実施の形態１に係る健康管理システム１を説明する。
【００４７】
［１−１．健康管理システムの概要］
図１は、実施の形態１に係る健康管理システム１の一構成例を示す概略図である。
【００４８】
図１に示すように、健康管理システム１は、サーバ装置１００、ユーザ端末２００及び指導者端末３００を備える。サーバ装置１００は、ネットワーク１１を介してユーザ端末２００及び指導者端末３００のそれぞれと通信可能である。ネットワーク１１は、有線ネットワークでも無線区間を含むネットワークでもよく、例えばインターネット等の広域通信網を含む。ユーザ端末２００は、体重を測定する体重計４、血糖値を測定する血糖値計５、血圧（最高血圧、最低血圧）及び脈拍数を測定する血圧計６、並びに、身体活動量及び運動強度を測定する活動量計７といった４つの測定装置と有線又は無線で通信可能である。なお、説明の便宜上、図１では、ユーザ端末２００及び指導者端末３００をそれぞれ１台しか示していないが、健康管理システム１は、複数のユーザ端末２００と複数の指導者端末３００とを備えてもよい。
【００４９】
健康管理システム１は、ユーザの健康を管理するためのシステムである。即ち、健康管理システム１は、ユーザについての測定により生成された測定データに基づいてユーザ端末２００を使用するユーザの健康状態を把握して健康状態に関連する表示の制御等を行うためのシステムである。指導者端末３００は、健康維持、増進等のための指導（健康指導）を行う指導者によって、指導対象者となるユーザについての健康指導上必要な情報の入力等に使用される。サーバ装置１００は、ユーザ端末２００から測定データを受信して管理（例えば記憶保持等）し、測定データを仮想的なオブジェクトに変換してユーザ端末２００に送信する機能等を有する。この測定データのオブジェクトへの変換は、測定データに基づいてオブジェクトを特定することを意味する。オブジェクトは例えば物体の形状等を表す画像であり、後に詳しく説明する。この健康管理システム１によりユーザは、ユーザ端末２００を使用して、健康状態に関する、オブジェクトを含む各種表示を確認することができる。なお、ここでは、ユーザ端末２００を使用する者をユーザ或いは指導対象者と称し、指導者端末３００を使用する者を指導者と称する。
【００５０】
図１で示した体重計４、血糖値計５、血圧計６及び活動量計７は、測定装置についての例示にすぎず、健康管理システム１では、これら４つの測定装置以外の測定装置により測定された測定データに基づいてユーザの健康管理を行ってもよい。測定装置は、生体情報、活動量等のユーザについて何らかの測定をする装置であり、上述した４つの測定装置以外の測定装置の例としては、体重、体組成（体脂肪、筋肉等）、ＢＭＩ（Body Mass Index）等を測定する体重体組成計、体温を測定する体温計、心拍数を測定する心拍計、歩数を測定する歩数計、睡眠の状態を測定する睡眠センサー、食事のカロリー計算を行うカロリー計等が挙げられる。なお、ここでは、便宜上、主に血圧、血糖値、体重及び身体活動量を取り上げて説明する。
【００５１】
図２は、健康管理システム１に係る機能ブロック図である。健康管理システム１の機能は、例えばサーバ装置１００がユーザ端末２００及び指導者端末３００と連携して動作することにより、発揮される。以下、図２、及び、ハードウェア構成例を示す図３〜図５を用いて、健康管理システム１におけるサーバ装置１００、ユーザ端末２００及び指導者端末３００のそれぞれの構成について説明する。
【００５２】
［１−１−１．サーバ装置］
図３は、サーバ装置１００のハードウェア構成例を示す図である。サーバ装置１００は、同図に示すように、通信インタフェース（Ｉ／Ｆ）１０１、プロセッサ１０２、メモリ１０３等を含んで構成されるコンピュータである。通信Ｉ／Ｆ１０１は、ネットワーク１１を介して他の装置との間で情報の授受を行なうための通信回路等である。プロセッサ１０２は、メモリ１０３に格納された制御プログラムを実行することによりサーバ装置１００の各部を制御して機能処理を実現する。メモリ１０３はＲＯＭ、ＲＡＭ等であり、不揮発性メモリを含んでいてもよい。これらのメモリにはサーバ装置１００の各機能処理を実現するための制御プログラムやその制御プログラムで利用するための設定値等が予め格納され、また、メモリ１０３は、制御プログラムのプロセッサ１０２による実行に際して用いられる各値を一時的に格納するためにも用いられる。サーバ装置１００は、メモリ１０３の他、ハードディスク装置等を含み得る。
【００５３】
サーバ装置１００は、ユーザ端末２００から送信される、ユーザについての測定により生成された測定データを受信して管理し、測定データに基づいてオブジェクトを特定してその特定したオブジェクトをユーザ端末２００に送信する機能を有する。また、サーバ装置１００は、指導者端末３００へ指導対象者の測定データを送信し、測定データに対する指導者からの指導事項等を示す指導データを受信して管理し、指導データをユーザ端末２００に送信する機能を有する。これらの機能を実現すべくサーバ装置１００は、機能面での構成要素（機能構成要素）として、図２に示すように、通信部１１０、制御部１２０及び記憶部１５０を有する。
【００５４】
記憶部１５０は、メモリ１０３等の記憶媒体の記憶領域で実現され、指導対象者について管理するための指導対象者管理テーブル１５１、指導者により入力された指導データを管理するための指導データ管理テーブル１５２、測定データを管理するための測定データ管理テーブル１５３、及び、オブジェクトを特定する際に参照されるためのオブジェクト管理テーブル１５４といった管理テーブル群等を記憶し、また他のデータを記憶し得る。ここでは、指導データ管理テーブル１５２及び測定データ管理テーブル１５３は指導対象者毎に存在し、オブジェクト管理テーブル１５４は、オブジェクトの種類毎に存在するものとする。これらの各テーブルの具体的な構成については後に説明する。
【００５５】
通信部１１０は、制御プログラムを実行するプロセッサ１０２、通信Ｉ／Ｆ１０１等で実現され、ネットワーク１１に接続してユーザ端末２００及び指導者端末３００と通信する機能を有する。通信部１１０は、ユーザ端末２００或いは指導者端末３００から送信されたデータを受信することによりデータを取得する取得部１１１、及び、制御部１２０から伝達されたデータをユーザ端末２００等に送信する出力部１１２を有する。
【００５６】
取得部１１１は、具体的には、ユーザについての測定により生成された測定データ（例えば体重、血糖値、血圧及び身体活動量等についての、測定日時を含む測定データ）をユーザ端末２００から逐次受信して取得する。ユーザ端末２００から測定データに対応付けてユーザ識別情報（指導対象者ＩＤ）が送信されると、取得部１１１は、その測定データとユーザ識別情報とを、対応付けて測定データ管理テーブル１５３の一部として記憶部１５０に記憶させる。また、取得部１１１は、指導者端末３００から送信された指導データを、受信することにより取得して、指導データ管理テーブル１５２の一部として記憶部１５０に記憶させる。
【００５７】
出力部１１２は、測定データとともにユーザ識別情報（指導対象者ＩＤ）を送信したユーザ端末２００に、測定データに基づいて特定されたオブジェクトを送信する機能、測定データを指導者端末３００に送信する機能等を有する。
【００５８】
制御部１２０は、制御プログラムを実行するプロセッサ１０２等により実現され、測定データをオブジェクトに変換するために、つまり測定データに基づくオブジェクトの特定のために、算定部１３０及び特定部１４０を有する。また、制御部１２０は、記憶部１５０に記憶された測定データを出力部１１２に伝達して指導者端末３００に送信させる機能、特定部１４０により特定されたオブジェクトを、記憶部１５０に記憶された指導データを付して出力部１１２に伝達してユーザ端末２００に送信させる機能、記憶部１５０の指導対象者管理テーブル１５１により指導対象者（ユーザ）と指導者とを対応付けて管理する機能等を有する。
【００５９】
算定部１３０は、記憶部１５０に記憶された測定データを参照し、ユーザの健康に関する評価のために予め定められた所定健康評価基準に基づいて測定データに応じた健康評価値を算定する機能と、ユーザについての測定の継続性に関する評価のために予め定められた所定継続性評価基準に基づいて、取得部１１１が取得した測定データの測定間隔に応じた継続性評価値を算定する機能とを有する。なお、所定健康評価基準に基づく健康評価値の算定及び所定継続性評価基準に基づく継続性評価値の算定ついては後に詳しく説明する。
【００６０】
特定部１４０は、記憶部１５０のオブジェクト管理テーブル１５４を参照し、算定部１３０により算定された健康評価値及び継続性評価値に応じて、例えば物体の形状等を表す画像であるオブジェクトを特定する機能を有する。なお、健康評価値及び継続性評価値に応じたオブジェクトの特定については後に詳しく説明する。
【００６１】
制御部１２０が、算定部１３０により健康評価値及び継続性評価値を算定し、特定部１４０によりオブジェクトを特定して、出力部１１２に送信させるタイミングと、測定データを出力部１１２に送信させるタイミングとについては、測定データを受信した時であることとしても、予め定められた時刻、周期等に従った時であることとしても、ユーザ端末２００又は指導者端末３００から要求を受けた時であることとしてもよい。例えば、ユーザ端末２００がユーザ識別情報（指導対象者ＩＤ）を送信してサーバ装置１００にアクセスして健康管理に関する情報を要求した場合に、制御部１２０は、記憶部１５０内の管理テーブルを参照してユーザに対応して送信すべき初期画面種別（体重を示す画面、血圧を示す画面等の別）を選定し、その初期画面種別に対応する画面の表示要素としてのオブジェクト等を送信するよう制御してもよい。
【００６２】
［１−１−２．ユーザ端末］
図４は、ユーザ端末２００のハードウェア構成例を示す図である。ユーザ端末２００は、同図に示すように、通信インタフェース（Ｉ／Ｆ）２０１、プロセッサ２０２、入力インタフェース（Ｉ／Ｆ）２０３、ディスプレイ２０４、メモリ２０５等を含んで構成されるコンピュータであり、例えばパーソナルコンピュータ、スマートフォン等である。通信Ｉ／Ｆ２０１は、ネットワーク１１を介してサーバ装置１００との間で情報の授受を行なうための通信回路等である。プロセッサ２０２は、メモリ２０５に格納された制御プログラムを実行することによりユーザ端末２００の各部を制御して機能処理を実現する。入力Ｉ／Ｆ２０３は、キーボード、ポインティングデバイス等のユーザの入力操作を受ける入力装置であり、体重計４、血糖値計５、血圧計６、活動量計７等の測定装置がユーザについて測定された測定データを送信する機能を有する場合にはその測定データを受信するための通信回路も含む。測定データを送信する機能を有する測定装置とユーザ端末２００との間は、有線接続の他、赤外線或いは無線（所謂近距離無線通信技術を用いてもよい）により通信がなされ得る。また測定装置が測定データを送信する機能を有さない場合でも、ユーザ（指導対象者）は、測定装置により測定された測定データを入力Ｉ／Ｆ２０３によりユーザ端末２００に入力できる。ディスプレイ２０４は、例えば液晶ディスプレイ、プラズマディスプレイ、有機ＥＬ（electroluminescence）ディスプレイ等であり、プロセッサ２０２からの制御信号を受けて動作し、ユーザ端末２００がサーバ装置１００から受信したオブジェクト、指導データ等を表示し得る。メモリ２０５はＲＯＭ、ＲＡＭ等であり、不揮発性メモリを含んでいてもよい。これらのメモリにはユーザ端末２００の各機能処理を実現するための制御プログラムやその制御プログラムで利用するための設定値等が予め格納され、また、メモリ２０５は、制御プログラムのプロセッサ２０２による実行に際して用いられる各値を一時的に格納するためにも用いられる。
【００６３】
ユーザ端末２００は、ユーザに使用され、ユーザについての測定により生成された測定データを受け付けてその測定データをサーバ装置１００に送信し、及び、サーバ装置１００から送信されるオブジェクト及び指導データを受信して表示するため、機能構成要素として、図２に示すように、通信部２１０、制御部２２０、入力部２３０及び表示部２４０を有する。
【００６４】
通信部２１０は、制御プログラムを実行するプロセッサ２０２、通信Ｉ／Ｆ２０１、メモリ２０５等により実現され、ユーザに入力された、ユーザ（指導対象者）を一意に識別するユーザ識別情報（指導対象者ＩＤ）を付して、メモリ２０５に記憶された測定データをサーバ装置１００に送信し、サーバ装置１００から送信されるオブジェクト及び指導データを受信してメモリ２０５に格納する機能を有する。
【００６５】
入力部２３０は、入力Ｉ／Ｆ２０３、メモリ２０５等で実現され、ユーザに入力装置で入力されたユーザ識別情報その他の情報を受け付ける機能、及び、ユーザについて測定された測定データを測定装置から受信すること或いはユーザに入力装置で入力された測定データを受け付けることにより、測定データを取得して制御部２２０に伝達する機能を有する。
【００６６】
制御部２２０は、制御プログラムを実行するプロセッサ２０２、メモリ２０５等により実現され、入力部２３０に伝達された測定データその他の情報をメモリ２０５に格納し、通信部２１０に測定データをサーバ装置１００に送信させる制御を行い、通信部２１０によりオブジェクト及び指導データが受信された場合にはメモリ２０５に格納されたオブジェクト及び指導データを表示部２４０に表示させる制御を行う機能を有する。サーバ装置１００への測定データの送信については、予め定められた時刻、周期等（例えば１日１回等）に従って送信することとしても、ユーザによる入力がなされた時に送信することとしてもよい。
【００６７】
表示部２４０は、ディスプレイ２０４等で実現され、制御部２２０の制御下で、メモリ２０５に格納されたオブジェクト及び指導データを表示する機能を有する。
【００６８】
［１−１−３．指導者端末］
図５は、指導者端末３００のハードウェア構成例を示す図である。指導者端末３００は、同図に示すように、通信インタフェース（Ｉ／Ｆ）３０１、プロセッサ３０２、入力インタフェース（Ｉ／Ｆ）３０３、ディスプレイ３０４、メモリ３０５等を含んで構成されるコンピュータであり、例えばパーソナルコンピュータ、スマートフォン等である。通信Ｉ／Ｆ３０１は、ネットワーク１１を介してサーバ装置１００との間で情報の授受を行なうための通信回路等である。プロセッサ３０２は、メモリ３０５に格納された制御プログラムを実行することにより指導者端末３００の各部を制御して機能処理を実現する。入力Ｉ／Ｆ３０３は、キーボード、ポインティングデバイス等のユーザの入力操作を受ける入力装置である。ディスプレイ３０４は、例えば液晶ディスプレイ、プラズマディスプレイ、有機ＥＬディスプレイ等であり、サーバ装置１００から受信した測定データ等を表示し得る。メモリ３０５はＲＯＭ、ＲＡＭ等であり、不揮発性メモリを含んでいてもよい。これらのメモリには指導者端末３００の各機能処理を実現するための制御プログラムやその制御プログラムで利用するための設定値等が予め格納され、また、メモリ３０５は、制御プログラムのプロセッサ３０２による実行に際して用いられる各値を一時的に格納するためにも用いられる。
【００６９】
指導者端末３００は、指導者に使用され、サーバ装置１００に記憶されている指導対象者の測定データを取得し、指導対象者への健康指導に関する指導事項を示す指導データをサーバ装置１００に通知するため、機能構成要素として、図２に示すように、通信部３１０、制御部３２０、入力部３３０及び表示部３４０を有する。
【００７０】
通信部３１０は、制御プログラムを実行するプロセッサ３０２、通信Ｉ／Ｆ３０１、メモリ３０５等により実現され、サーバ装置１００から送信される測定データを受信してメモリ３０５に格納し、指導者に入力された、指導者を一意に識別する指導者識別情報（指導者ＩＤ）を付して、メモリ３０５に記憶された指導データをサーバ装置１００に送信する機能を有する。
【００７１】
入力部３３０は、入力Ｉ／Ｆ３０３、メモリ３０５等で実現され、指導者に入力装置で入力された指導者識別情報、指導対象者に対する指導事項を示す指導データその他の情報を受け付ける機能を有する。
【００７２】
制御部３２０は、制御プログラムを実行するプロセッサ３０２、メモリ３０５等により実現され、入力部３３０に伝達された指導データその他の情報をメモリ３０５に格納し、通信部３１０により測定データが受信された場合にはメモリ３０５に格納された測定データを表示部３４０に表示させる制御を行い、通信部３１０に指導データをサーバ装置１００に送信させる制御を行う機能を有する。サーバ装置１００への指導データの送信については、予め定められた時刻、周期等（例えば１日１回等）に従って送信することとしても、指導者による入力がなされた時に送信することとしてもよい。また、制御部３２０は、指導者の入力に応じて測定データをサーバ装置１００に要求することとしてもよい。なお、サーバ装置１００から指導者端末３００へは測定データを送信する代わりに、測定データを送信してきた指導対象者のリストを送信することとしてもよく、この場合には、指導者端末３００ではそのリストを表示し、指導者がそのリストを見て、全員又は一部の指導対象者を指定し、制御部３２０がその指定された指導対象者の測定データをサーバ装置１００に要求することとしてもよい。
【００７３】
表示部３４０は、ディスプレイ３０４等で実現され、制御部３２０の制御下で、メモリ３０５に格納された測定データを表示する機能を有する。測定データは、数字を含む文字列等でデータ値を表示しても、グラフ化等を施して表示してもよい。
【００７４】
［１−２．管理テーブル」
以下、サーバ装置１００が記憶部１５０に保持する管理テーブル群のそれぞれについて説明する。
【００７５】
［１−２−１．指導対象者管理テーブル］
図６は、指導対象者管理テーブル１５１の一構成例を示す図である。指導対象者管理テーブル１５１は、例えば予め指導者等により定められる。なお、指導者が指導者端末３００から入力したデータを受信したサーバ装置１００がその受信したデータに応じて指導対象者管理テーブル１５１の内容を設定或いは更新してもよい。
【００７６】
図６に示すように、指導対象者管理テーブル１５１は、指導対象者ＩＤ、指導者ＩＤ、測定データファイル名、指導データファイル名、血圧フラグ、血糖値フラグ、及び、初期画面種別を含んで構成される。
【００７７】
指導対象者ＩＤは、指導対象者（ユーザ）を一意に示す識別子、即ちユーザを識別する識別情報である。また、指導者ＩＤは、指導対象者に健康指導を行う指導者を一意に示す識別子である。図６の例は、指導対象者ＩＤ「Ａ」、「Ｂ」、「Ｄ」のそれぞれで識別される指導対象者（以下、それぞれ「指導対象者Ａ」、「指導対象者Ｂ」、「指導対象者Ｄ」と称する）の指導者は、指導者ＩＤ「Ｘ」で識別される指導者（以下、「指導者Ｘ」と称する）であることを示している。また、図６の例は、指導対象者ＩＤ「Ｃ」で識別される指導対象者（以下、「指導対象者Ｃ」と称する）の指導者は、指導者ＩＤ「Ｙ」で識別される指導者であることを示している。
【００７８】
測定データファイル名は、指導対象者についての測定データを管理するための測定データ管理テーブル１５３を内容とするファイルのファイル名であり、指導データファイル名は、指導者に入力された指導データを管理するための指導データ管理テーブル１５２を内容とするファイルのファイル名である。図６の例によると、指導対象者Ａの測定データは、ファイル名「測定データＡ」のファイルにおける測定データ管理テーブルで管理されている。同様に、指導対象者Ａに対する指導者Ｘの指導データは、ファイル名「指導データＡ」のファイルにおける指導データ管理テーブルで管理されている。なお、測定データファイル名及び指導データファイル名はそれぞれ、測定データ管理テーブル１５３、指導データ管理テーブル１５２を識別してアクセスするための情報であれば、各管理テーブルのファイル名以外の情報であってもよい。
【００７９】
血圧フラグは、指導対象者が特に血圧の状況に注意を必要とする者であるか否かについて、指導者が判断して設定するフラグであり、特に注意して観察する必要がある者については「要観察」（値１）を設定し、通常の観察で十分である者については「通常観察」（値０）を設定する。同様に血糖値フラグは、指導対象者が特に血糖値の状況に注意を必要とする者であるか否かについて、指導者が判断して設定するフラグであり、特に注意して観察する必要がある者については「要観察」（値１）を設定し、通常の観察で十分である者については「通常観察」（値０）を設定する。図６の例は、指導対象者Ａは、血圧及び血糖値について「要観察」、指導対象者Ｂは、血圧のみ「要観察」、指導対象者Ｃは、血糖値のみ「要観察」、指導対象者Ｄは、血圧も血糖値も「要観察」でない（「通常観察」である）ことを示す。
【００８０】
初期画面種別は、指導対象者がユーザ端末２００を起動した場合、或いは、ユーザ端末２００に健康管理に関する情報の閲覧開始のための所定入力を行った場合に、例えば体重、血糖値、血圧及び身体活動量等のどの種別の測定データに関する情報をユーザ端末２００に表示させるべきかを示す情報であり、指導者が判断して設定する。設定しない場合のデフォルト値（例えば血圧等）が予め定められていてもよい。ユーザ端末２００からアクセスされて健康管理に関する情報が要求された場合に、この初期画面種別に従って、サーバ装置１００は、各種の測定データに関して特定部１４０が特定したオブジェクトのうち送信すべきオブジェクトを選定することができる。この指導対象者管理テーブル１５１では、最初に表示される情報を定める初期画面種別を含むこととしたが、この他に、体重、血糖値、血圧及び身体活動量のユーザ端末２００での表示順序を示す情報を含むようにしてもよい。
【００８１】
［１−２−２．指導データ管理テーブル］
図７は、指導データ管理テーブル１５２の一構成例を示す図である。指導データ管理テーブル１５２は、指導対象者毎に定められ、図７では１人の指導対象者についての指導データ管理テーブル１５２の一例を示している。
【００８２】
図７に示すように、指導データ管理テーブル１５２は、指導日時、指導コメント、血圧補正値、血糖値補正値等といった項目を含んで構成されるレコード（指導データ）の集合である。このレコードは、指導者端末３００からサーバ装置１００に送信される指導データにより構成される。例えば、指導者が指導コメント、血圧補正値及び血糖値補正値を指導者端末３００に入力し、指導者端末３００がその入力日時を指導日時として付加して入力されたデータとから定まる指導データをサーバ装置１００に送信し、サーバ装置１００では指導データを受信して指導データ管理テーブル１５２の１レコードとして記録する。
【００８３】
指導コメントは、指導対象者の測定データに基づいて指導者が指導対象者に対して健康指導として行うアドバイス等を内容とする文字列等の情報である。
【００８４】
血圧補正値は、指導対象者の血圧の測定データ（測定値）を、補正して指導対象者に認識させるために用いられる値である。この血圧補正値に応じて、測定値を何パーセントか増加させ、或いは減少させた値が、算定部１３０による健康評価値の算定において利用される。図７の例に示す「＋２５」は、２５パーセント増加させることを示す。この血圧補正値は、血圧の測定値を現実とは異なる値に補正することで、健康状態を実際より良く見せ、或いは悪く見せて、これにより指導対象者の健康増進へのモチベーションを高めるために設定するものである。同様に、血糖値補正値は、指導対象者の血糖値の測定データ（測定値）を、補正して指導対象者に認識させるために用いられる値である。指導データ管理テーブル１５２における項目には、血圧、血糖値の他に、例えば体重及び身体活動量等についての補正値（これらの各種の補正値を「指導補正値」とも称する）も含まれ得る。
【００８５】
［１−２−３．測定データ管理テーブル］
図８は、測定データ管理テーブル１５３の一構成例を示す図である。測定データ管理テーブル１５３は、指導対象者毎に定められ、図８では１人の指導対象者についての測定データ管理テーブル１５３の一例を示している。
【００８６】
図８に示すように、測定データ管理テーブル１５３は、測定日時、測定日時における各測定値である血圧（最高血圧、最低血圧）、脈拍、血糖値（空腹時血糖値、食後２時間経過時における食後２時間血糖値）、体重及び身体活動量等といった項目を含んで構成されるレコード（測定データ）の集合である。このレコードは、ユーザ端末２００からサーバ装置１００に送信される測定データにより構成される。例えば、測定装置から受信すること或いは指導対象者（ユーザ）から入力を受け付けることによりユーザ端末２００が測定データを得て、その測定データを得た日時等を測定日時として付加して、その測定データをサーバ装置１００に送信し、サーバ装置１００では測定データを受信して測定データ管理テーブル１５３の１レコードとして記録する。
【００８７】
［１−２−４．オブジェクト管理テーブル］
オブジェクト管理テーブル１５４は、予め定められており、健康管理上の分析項目毎、つまり算定部１３０が算定する健康評価値、継続性評価値の区別毎に存在する。健康評価値及び継続性評価値のそれぞれは、１つのパラメータであってもよいが、複数のパラメータに区別され得る。オブジェクト管理テーブル１５４は、ユーザ端末２００に表示してユーザ（指導対象者）に提示するためのオブジェクトをサーバ装置１００の特定部１４０で特定するために用いられるテーブルである。オブジェクトは、例えば物体の形状を表す画像である。特定部１４０は、複数の画像（オブジェクト）の中から１つの画像（オブジェクト）を、ユーザに対して提示（表示）するための画像（オブジェクト）として特定する。ここでは、継続性、健康状態等を、町の状態に仮想化して表現すべく、町における土地、建築物その他の物体の形状を表す画像であるオブジェクトを用いた一例を示す。
【００８８】
図９は、継続性評価値についてのオブジェクト管理テーブル１５４の一構成例を示す図である。図９に例示するオブジェクト管理テーブル１５４は、ユーザについての測定の継続性を示す継続性評価値（継続性パラメータα）の値と各種のオブジェクトとを対応付けたテーブルである。同図で示す継続性パラメータαの値（例えば４５）は、値の範囲（例えば１０より大きく４５以下である範囲）であってもよく、特定部１４０が算定部１３０により算定された継続性パラメータαからオブジェクトを特定するために利用できるようにオブジェクト管理テーブル１５４を構成すればよい。継続性パラメータαは、測定データが測定された時間間隔（測定日時の間隔）が一定時間（例えば１日）内である測定が、長い期間続く程、高い値となるように算定される。例えば、指導対象者が１日に１回以上の測定を長い日数続ける程、継続性パラメータαの値は高くなる。図９のオブジェクト管理テーブル１５４において、土地オブジェクト２１は、土地を四角形の図形で表す画像であり、四角形のサイズの大きい土地程、高い継続性パラメータαの値と対応する。建築物オブジェクト２２は、住宅、城等の建築物（建築物の外形等）を表す画像であり、一般的に高い価値を有すると考えられる立派な建築物程、高い継続性パラメータαの値と対応する。プレゼントオブジェクト２３は、指導者が指導対象者へプレゼントとして付与することが想定されたオブジェクトであり、図９の例では、継続性パラメータαの値毎に、それぞれ異なるランドマークを表す画像であるオブジェクトが対応付けられている。
【００８９】
なお、継続性評価値として継続性パラメータαの他に、１日に測定した回数を示す回数パラメータ等を用いることとしてもよく、この場合に、例えば、図９で建築物オブジェクト２２として示した同じ継続性パラメータαの値に対応する複数の建築物から、回数パラメータの値に応じて１つのオブジェクトを選択すること（例えば回数パラメータの値が高い程、立派な建築物を選択すること）が可能となる。
【００９０】
図１０は、健康評価値についてのオブジェクト管理テーブル１５４の一構成例を示す図である。図１０に例示するオブジェクト管理テーブル１５４は、ユーザについての健康状態を示す健康評価値の１つである血圧パラメータε１（後述）の値と各種のオブジェクトとを対応付けたテーブルである。同図で示す血圧パラメータε１の値（例えば５０）は、値の範囲（例えば１００より小さく５０以上である範囲）であってもよく、特定部１４０が算定部１３０により算定された血圧パラメータε１からオブジェクトを特定するために利用できるようにオブジェクト管理テーブル１５４を構成すればよい。図１０のオブジェクト管理テーブル１５４において、健康状態オブジェクト２４は、物体の形状を表す画像（放水しているダムを表す画像）であり、放水量が、血圧パラメータε１の値と対応する。ここで、血圧が正常であれば血圧パラメータε１は０である。血圧は、高い程、血圧パラメータε１は大きくなり、放水量の多い健康状態オブジェクト２４と対応する。図１０における要因オブジェクト２５は、血圧パラメータε１で示される血圧の状態を悪化させる要因となる飲食物等の人が摂取し得る物体を表す画像（ここでは、食塩庫の食塩を表す画像）である。食塩の在庫量が多い画像程、高い血圧パラメータε１（つまり高い血圧）に対応する。要因オブジェクト２５と血圧パラメータε１との対応関係は、血圧が高い程、塩分の摂取について配慮が必要である旨を示唆する効果を狙って対応付けられている。
【００９１】
図１１は、健康評価値についてのオブジェクト管理テーブル１５４の別の一構成例を示す図である。図１１に例示するオブジェクト管理テーブル１５４は、ユーザについての健康状態を示す健康評価値の１つである血糖値パラメータε２（後述）の値と各種のオブジェクトとを対応付けたテーブルである。同図で示す血糖値パラメータε２の値（例えば５０）は、値の範囲（例えば１００より小さく５０以上である範囲）であってもよく、特定部１４０が算定部１３０により算定された血糖値パラメータε２からオブジェクトを特定するために利用できるようにオブジェクト管理テーブル１５４を構成すればよい。図１１のオブジェクト管理テーブル１５４において、健康状態オブジェクト２６は、物体の形状を表す画像（飲食物を販売する店舗を表す画像）であり、店舗の膨れ度合いが、血糖値パラメータε２の値と対応する。ここで、血糖値が正常であれば血糖値パラメータε２は０である。血糖値が高い程（高血糖である程）、血糖値パラメータε２は大きくなり、店舗が大きく膨らんだ健康状態オブジェクト２６と対応する。図１１における要因オブジェクト２７は、血糖値パラメータε２で示される血糖値の状態を悪化させる要因となる飲食物等の人が摂取し得る物体を表す画像（ここでは、ケーキ、白米、パン、酒といった飲食物を表す画像）である。高血糖の要因となる飲食物の数量が多い画像程、高い血糖値パラメータε２に対応する。要因オブジェクト２７と血糖値パラメータε２との対応関係は、血糖値が高い程、ケーキ等の甘い食べ物、白米、パン、酒等を摂り過ぎずに控える必要がある旨を示唆する効果を狙って対応付けられている。
【００９２】
図１２は、健康評価値についてのオブジェクト管理テーブル１５４のまた別の一構成例を示す図である。図１２に例示するオブジェクト管理テーブル１５４は、ユーザについての健康状態を示す健康評価値である評価パラメータβ１又はβ２（後述）の値と建築物オブジェクトとを対応付けたテーブルである。評価パラメータβ１、β２は、１〜５の５段階で健康について良好な状態である程高い値となるように定められる。図１２のオブジェクト管理テーブル１５４において、建築物オブジェクトは、住宅、城等の建築物（建築物の外形等）を表す画像であり、一般的に高い価値を有すると考えられる立派な建築物程、高い評価パラメータの値と対応する。図１２に示すオブジェクト管理テーブル１５４のように、物体の形状を表す複数の画像それぞれと健康評価値とを、健康評価値が高い程、高い価値を有する物体の形状を表す画像と対応するように予め対応付けた対応情報を用いて特定部１４０によりオブジェクトの特定が行われると、ユーザにとってその特定されたオブジェクトを見たときに、健康評価値が表す健康状態等について、直感的に把握できる効果が生じ得る。なお、図１２等のオブジェクト管理テーブル１５４を定めるにあたり、オブジェクトで表されたもの（例えば建築物等）の価値は、知識、経験等に基づいて評価される他、例えば複数の人々に対するアンケート調査等に基づいて価値が決定されてもよく、また、ユーザ或いは指導者の判断を参考にして決定されてもよい。
【００９３】
図１３は、健康評価値についてのオブジェクト管理テーブル１５４の更に別の一構成例を示す図である。図１３に例示するオブジェクト管理テーブル１５４は、ユーザについての健康状態を示す健康評価値である傾向パラメータγ１、γ２の値とオブジェクトとを対応付けたテーブルである。傾向パラメータγ１、指導者が指導対象者を指導している全期間において健康状態が良い方向に変化しているか、健康状態が維持されているか、健康状態が悪化しているかを区別する評価値である。また、傾向パラメータγ２は、最近１週間において健康状態が良い方向に変化しているか、健康状態が維持されているか、健康状態が悪化しているかを区別する評価値である。図１３のオブジェクト管理テーブル１５４は、傾向パラメータγ１と傾向パラメータγ２とを組み合わせて１つのオブジェクトを特定するように構成されており、傾向パラメータγ１に応じて顔の表情が変化し、傾向パラメータγ２に応じて顔の輝き等が変化するような複数の顔オブジェクトを含んでいる。例えば、全期間の傾向を示す傾向パラメータγ１が良化を示す場合には、顔オブジェクトが笑顔になり、γ１が維持を示す場合には、普通の表情になり、γ１が悪化を示す場合には、元気のない表情になる。また、最近１週間の傾向を示す傾向パラメータγ２が良化の場合には、顔オブジェクトが金色（図示せず）で後光があり、γ２が維持を示す場合には、顔オブジェクトが金色で後光がなく、γ２が悪化を示す場合には、顔オブジェクトが灰色となる。
【００９４】
［１−３．算定部の動作（健康評価値及び継続性評価値の算定）］
図１４は、サーバ装置１００の算定部１３０による健康評価値及び継続性評価値の算定に係る動作を示すフローチャートである。
【００９５】
以下、算定部１３０による、健康評価値及び継続性評価値である各パラメータ（血圧パラメータε１、血糖値パラメータε２、継続性パラメータα等）の算定に係る動作について図１４に即して説明する。
【００９６】
例えばユーザ端末２００等から要求を受けた時、或いは予め定められた周期的なタイミングで、制御部１２０における算定部１３０は、指導対象者について逐次測定されて生成された複数の測定データに基づいて、パラメータを算定する。健康評価値のパラメータは、ユーザの健康に関する評価のために用いられるパラメータであり、所定健康評価基準（つまり以下に一例を示す算定方法）に基づいて算定される。また、継続性評価値のパラメータは、ユーザについての測定の継続性に関する評価のために用いられるパラメータであり、所定継続性評価基準（つまり以下に一例を示す算定方法）に基づいて算定される。算定の基礎となる測定データの範囲については、その算定の日である今日（現在）と、今日から１週間前までの期間（以下、「最近１週間」と称する）と、今日から指導開始日（初回測定日）までの期間（以下、「全期間」と称する）との範囲が用いられる。
【００９７】
ここでは、制御部１２０が指導対象者Ａの測定データに基づいて算定部１３０によりパラメータを算定する場合を例にして説明を行う。
【００９８】
まず、算定部１３０は、記憶部１５０に格納された指導対象者管理テーブル１５１から、指導対象者Ａの測定データを管理する測定データ管理テーブル１５３のファイル名と、指導対象者Ａについての指導データを管理する指導データ管理テーブル１５２のファイル名とを取得する。そして、算定部１３０は、指導対象者Ａの測定データ管理テーブル１５３のファイル名で測定データ管理テーブル１５３を特定して、その測定データ管理テーブル１５３に含まれる指導対象者Ａの測定データを読み出す（ステップＳ８０１）。
【００９９】
次に、算定部１３０は、指導対象者Ａの指導データ管理テーブル１５２のファイル名で指導データ管理テーブルを特定して、その指導データ管理テーブル１５２に含まれる指導対象者Ａに対する指導データを読み出す。そして、算定部１３０は、指導データに含まれる指導補正値に基づいて、血圧、血糖値、体重及び身体活動量のそれぞれについて測定データの補正用の変数ω（指導補正値ω）を設定する（ステップＳ８０２）。具体的には、指導データで血圧、血糖値、体重及び身体活動量のそれぞれについて指導補正値が定められていればその指導補正値を変数ωに設定し、指導補正値が定められていなければ０を変数ωに設定する。パラメータの算定において、測定データの測定値は、例えば、この変数ωを用いてω／１００＋１倍される。血圧の変数ω（指導補正値ω）が２５であれば、測定データにおける血圧の測定値（最高血圧ｐ１及び最低血圧Ｐ２）は、１．２５倍されて以下に示すパラメータの算定の手順（ステップＳ８０５等）が行われる。
【０１００】
また、算定部１３０は、指導対象者Ａについての測定データ管理テーブル１５３の測定データに応じて、予め定められた所定継続性評価基準に基づいて、測定データの測定の継続性を示す継続性パラメータαを算定する（ステップＳ８０３）。例えば、測定データ管理テーブル１５３における測定日時より１日１回以上測定がなされている日の連続数を、継続性パラメータαとして定める。例えば、今日までに１０日間連続して測定がなされている場合には継続性パラメータαは、１０となる。なお、上述した回数パラメータを包含するように継続性パラメータαを算定してもよく、この場合には、継続性パラメータαを、１日１回以上測定がなされている日の連続数α１と１日の平均測定回数α２とを用いた所定の関数ｆ（α１，α２）により算定することとしてもよい。所定の関数ｆは、例えば、１日の平均測定回数α２が同じであれば連続数α１が大きい程、継続性パラメータαが大きくなり、連続数α１が同じであれば１日の平均測定回数α２が大きい程、継続性パラメータαが大きくなるように予め定められる。
【０１０１】
算定部１３０は、指導対象者管理テーブル１５１の指導対象者Ａについての血圧フラグが要観察の旨を示す１に設定されているか否かを判定し（ステップＳ８０４）、血圧フラグとして１が設定されている場合は、血圧パラメータε１の算定を行い（ステップＳ８０５）、血圧フラグとして１が設定されていない場合は、血圧パラメータε１の算定（ステップＳ８０５）をスキップする。
【０１０２】
ステップＳ８０５における血圧パラメータε１の算定は、予め定められた健康評価基準としての血圧評価基準テーブルに基づいて行われる。図１５は、血圧評価基準テーブルの一例を示す図である。血圧評価基準テーブルは、血圧（最高血圧ｐ１、最低血圧ｐ２）と血圧パラメータε１とを対応付けたテーブルである。この血圧評価基準テーブルは、同図の例によれば、例えば、最高血圧ｐ１が１８０（ｍｍＨｇ）以上、又は、最低血圧ｐ２が１１０（ｍｍＨｇ）以上の場合に、血圧パラメータε１が１００と算定されることを定めている。なお、図１５では、血圧パラメータε１の値についての意味を、血圧の状態の欄に記している。図１５の例によれば、算定された血圧パラメータε１が１００である場合には、高血圧の状態であることを意味している。ステップＳ８０５では算定部１３０は、例えば今日測定された最高血圧及び最低血圧の値（例えば、１回だけ測定された場合はその測定値、複数回測定されていれば複数の測定値の平均値）をそれぞれ最高血圧ｐ１、最低血圧ｐ２として、血圧評価基準テーブルに基づいて血圧パラメータε１を算定する。
【０１０３】
算定部１３０は、指導対象者管理テーブル１５１の指導対象者Ａについての血糖値フラグが要観察の旨を示す１に設定されているか否かを判定し（ステップＳ８０６）、血糖値フラグとして１が設定されている場合は、血糖値パラメータε２の算定を行い（ステップＳ８０７）、血糖値フラグとして１が設定されていない場合は、血糖値パラメータε２の算定（ステップＳ８０７）をスキップする。
【０１０４】
ステップＳ８０７における血糖値パラメータε２の算定は、予め定められた健康評価基準としての血糖値評価基準テーブルに基づいて行われる。図１６は、血糖値評価基準テーブルの一例を示す図である。血糖値評価基準テーブルは、血糖値（空腹時血糖値ｑ１、食後２時間血糖値ｑ２）と血糖値パラメータε２とを対応付けたテーブルである。この血糖値評価基準テーブルは、同図の例によれば、例えば、空腹時血糖値ｑ１が１２６（ｍｇ／ｄｌ）以上、又は、食後２時間血糖値ｑ２が２００（ｍｇ／ｄｌ）以上の場合に、血糖値パラメータε２が１００と算定されることを定めている。なお、図１６では、血糖値パラメータε２の値についての意味を、血糖値の状態の欄に記している。図１６の例によれば、算定された血糖値パラメータε２が１００である場合には、糖尿病に該当する状態であることを意味している。ステップＳ８０７では算定部１３０は、例えば今日測定された空腹時血糖値ｑ１及び食後２時間血糖値ｑ２（複数回測定されていれば平均値）に基づいて、血糖値評価基準テーブルに基づいて血糖値パラメータε２を算定する。なお、図１６の血糖値評価基準テーブルは、血糖値パラメータε２を算定するための方法の一例にすぎず、例えば、空腹時血糖値ｑ１及び食後２時間血糖値ｑ２のうち一方を用いないこととしてもよい。また、指導対象者又は指導者がいずれの血糖値を測定するかを設定することとしてもよい。なお、測定データにおける血糖値が空腹時血糖値か食後２時間血糖値かを区別していない場合において、算定部１３０が、予め定めた基準に従って測定日時（測定時間帯等）から推定して空腹時血糖値か食後２時間血糖値かを判別することとしてもよい。
【０１０５】
また、算定部１３０は、血圧、血糖値、体重及び身体活動量のそれぞれについて、全期間及び最近１週間のそれぞれにおける測定データ（測定値）の平均値と標準偏差値とを算定する（ステップＳ８０８）。
【０１０６】
次に、算定部１３０は、血圧、血糖値、体重及び身体活動量のそれぞれについて、今日の測定データ（測定値）を全期間の平均値及び標準偏差値を用いて評価した評価パラメータβ１と、今日の測定データ（測定値）を最近１週間の平均値と標準偏差値を用いて評価した評価パラメータβ２とを算定する（ステップＳ８０９）。
【０１０７】
ステップＳ８０９において算定部１３０は、血圧及び血糖値のそれぞれについては、図１７に示す全期間用血圧血糖値評価基準テーブルを用いて評価パラメータβ１を算定し、図１８に示す最近１週間用血圧血糖値評価基準テーブルを用いて評価パラメータβ２を算定する。図１７、図１８で示す各テーブルにおいて、ｙは今日の血圧又は血糖値を示し、Ｘ１は血圧又は血糖値の全期間における平均値を示し、σ１は血圧又は血糖値の全期間における標準偏差値を示し、Ｘ２は血圧又は血糖値の最近１週間における平均値を示し、σ２は血圧又は血糖値の最近１週間における標準偏差値を示す。また、ステップＳ８０９において算定部１３０は、体重については、図１９に示す全期間用体重評価基準テーブルを用いて評価パラメータβ１を算定し、図２０に示す最近１週間用体重評価基準テーブルを用いて評価パラメータβ２を算定する。図１９、図２０で示す各テーブルにおいて、ｙは今日の体重を示し、Ｘ１は体重の全期間における平均値を示し、σ１は体重の全期間における標準偏差値を示し、Ｘ２は体重の最近１週間における平均値を示し、σ２は体重の最近１週間における標準偏差値を示す。また、ステップＳ８０９において算定部１３０は、身体活動量については、図２１に示す全期間用身体活動量評価基準テーブルを用いて評価パラメータβ１を算定し、図２２に示す最近１週間用身体活動量評価基準テーブルを用いて評価パラメータβ２を算定する。図２１、図２２で示す各テーブルにおいて、ｙは今日の身体活動量を示し、Ｘ１は身体活動量の全期間における平均値を示し、σ１は身体活動量の全期間における標準偏差値を示し、Ｘ２は身体活動量の最近１週間における平均値を示し、σ２は身体活動量の最近１週間における標準偏差値を示す。このように、評価パラメータβ１、β２は、健康について良好な状態である程高い値となるように定められる（図１７〜図２２）。ここで、健康について良好な状態とは、健康である状態、健康である状態へ次第に近づいている状態、健康である状態へ近づくための活動が十分行えている状態等といった、健康の維持増進のために好ましい状態を言う。
【０１０８】
次に、算定部１３０は、血圧、血糖値、体重及び身体活動量のそれぞれについて、測定データの全期間における変化の傾向を示す傾向パラメータγ１と、測定データの最近１週間における変化の傾向を示す傾向パラメータγ２とを算定する（ステップＳ８１０）。具体的には、算定部１３０は、全期間の測定データの回帰分析を行うことにより経過時間（経過日数）に対する測定値の分布の傾き方向（例えば最小二乗法により算出される回帰直線の傾き）を求めて、図２３に示す傾向評価基準テーブルを用いて傾向パラメータγ１を算定し、同様に最近１週間の測定データの回帰分析を行うことにより経過時間に対する測定値の分布の傾き方向を求めて、その傾向評価基準テーブルを用いて傾向パラメータγ２を算定する。
【０１０９】
そして最後に算定部１３０は、算定した各パラメータを記憶部１５０に格納する（ステップＳ８１１）。
【０１１０】
［１−４．特定部の動作（オブジェクトの特定）］
サーバ装置１００の特定部１４０は、算定部１３０が算定した健康評価値及び継続性評価値に係る各パラメータに応じて、オブジェクト管理テーブル１５４を用いてオブジェクトを特定する。
【０１１１】
図２４は、サーバ装置１００の特定部１４０によるオブジェクトの特定に係る動作を示すフローチャートである。
【０１１２】
以下、特定部１４０によるオブジェクトの特定に係る動作について図２４に即して説明する。ここでは、制御部１２０が指導対象者Ａの測定データに基づいて特定部１４０によりオブジェクトを特定する場合を例にして説明を行う。
【０１１３】
まず、特定部１４０は、記憶部１５０から算定部１３０が算定した各パラメータを読み出す（ステップＳ９０１）。
【０１１４】
次に、特定部１４０は、継続性パラメータαの値に応じて、継続性評価値についてのオブジェクト管理テーブル１５４（図９参照）に従ってオブジェクトを特定する（ステップＳ９０２）。図９の例によれば、継続性パラメータαが大きい程、大きい土地を示すサイズの大きな四角形の土地オブジェクト２１が特定されて立派な建築物を表す建築物オブジェクト２２が特定される。また、継続性パラメータαの値毎に異なるランドマークを表すプレゼントオブジェクト２３が特定される。
【０１１５】
図２５は、継続性評価値についてのオブジェクトの使用例を示す図である。図２５において町オブジェクト３１ａ〜３１ｆのそれぞれは、継続性パラメータαが１０、４５、９０、１２０、１５０及び１８０のそれぞれに対応した町オブジェクトである。これらの町オブジェクトは、図９に示す土地オブジェクト２１及び建築物オブジェクト２２を組み合わせて構成されている。図２５に示すように、継続性パラメータαが大きくなるほど、町が広くなり、町の建築物が立派になっている。このような町オブジェクトはサーバ装置１００からユーザ端末２００に送信されてユーザ端末２００に表示されることとなる。従って、ユーザ（指導対象者）が測定を継続的に行うことにより、次第に継続性評価値である継続性パラメータαが増加し、ユーザ端末２００に、次第に立派な町が表示されるようになる。このことは、指導対象者にとって測定を継続することに対するモチベーションの向上のために有用である。
【０１１６】
次に、特定部１４０は、指導対象者管理テーブル１５１の指導対象者Ａについての血圧フラグが要観察の旨を示す１に設定されているか否かを判定し（ステップＳ９０３）、血圧フラグとして１が設定されている場合は、血圧パラメータε１に応じてオブジェクトの特定を行い（ステップＳ９０４）、血圧フラグとして１が設定されていない場合は、血圧パラメータε１に応じたオブジェクトの特定（ステップＳ９０４）をスキップする。ステップＳ９０４における血圧パラメータε１に応じたオブジェクトの特定は、血圧パラメータε１についてのオブジェクト管理テーブル１５４（図１０参照）に従って行われる。図１０の例によれば、血圧パラメータε１が大きい程、放水量の多いダムを表す画像である健康状態オブジェクト２４が特定される。また、血圧パラメータε１が大きい程、多い食塩の在庫を有する食塩庫の画像である要因オブジェクト２５が特定される。
【０１１７】
次に、特定部１４０は、指導対象者管理テーブル１５１の指導対象者Ａについての血糖値フラグが要観察の旨を示す１に設定されているか否かを判定し（ステップＳ９０５）、血糖値フラグとして１が設定されている場合は、血糖値パラメータε２に応じてオブジェクトの特定を行い（ステップＳ９０６）、血糖値フラグとして１が設定されていない場合は、血糖値パラメータε２に応じたオブジェクトの特定（ステップＳ９０６）をスキップする。ステップＳ９０６における血糖値パラメータε２に応じたオブジェクトの特定は、血糖値パラメータε２についてのオブジェクト管理テーブル１５４（図１１参照）に従って行われる。図１１の例によれば、血糖値パラメータε２が大きい程、膨れた店舗を表す画像である健康状態オブジェクト２６が特定される。また、血糖値パラメータε２が大きい程、多い数量の、高血糖の要因となる飲食物を表す画像である要因オブジェクト２７が特定される。
【０１１８】
次に、特定部１４０は、評価パラメータβ１、β２に応じてオブジェクトの特定を行う（ステップＳ９０７）。具体的には、特定部１４０は、評価パラメータβ１、β２についてのオブジェクト管理テーブル１５４（図１２参照）に従ってオブジェクトを特定する。図１２の例によれば、評価パラメータβ１又は評価パラメータβ２が大きい程、立派な建築物の外形を表した画像である建築物オブジェクトが特定される。なお、ステップＳ９０７において、血圧、血糖値、体重及び身体活動量のそれぞれについて、評価パラメータβ１、β２のうち一方のみについてオブジェクトの特定を行うこととしてもよいし、血圧、血糖値、体重及び身体活動量のうちの一部のみについての評価パラメータについてオブジェクトの特定を行うこととしてもよい。また、評価パラメータの値に応じて、建築物の補修工事の必要性（補修が必要な箇所等）を表す画像であるオブジェクトを特定するようにしてもよい。この場合に、評価パラメータに応じて特定されるオブジェクトの例を図２６に示す。図２６における建築物オブジェクト３２ａ〜３２ｅは、それぞれ評価パラメータの異なる値に応じて特定されるオブジェクトであり、建築物オブジェクト３２ｂ〜３２ｅは建築物について補修工事をしている状態を表した画像である。例えば、評価パラメータの値が、健康について良好な状態ではなくその状態が劣悪（例えば健康状態に注意が必要な程度が高い状態）である程、補修箇所が多い建築物を表した画像であるオブジェクトが特定されるようにしてもよい。なお、図２６の補修工事をしている建築物は一例にすぎず、補修工事の他に、建築物が壊れていることを表す表現等、通常の状態とは異なる状態を表す表現を用いてオブジェクトを定め得る。
【０１１９】
次に、特定部１４０は、傾向パラメータγ１、γ２に応じてオブジェクトの特定を行う（ステップＳ９０８）。具体的には、特定部１４０は、血圧、血糖値、体重及び身体活動量のそれぞれについて、傾向パラメータγ１、γ２についてのオブジェクト管理テーブル１５４（図１３参照）に従って、顔オブジェクトを特定する。
【０１２０】
そして最後に特定部１４０は、特定した各オブジェクトを記憶部１５０に格納する（ステップＳ９０９）。このように記憶部１５０に格納された各オブジェクトは、制御部１２０により出力部１１２に伝達され出力部１１２により、指導対象者Ａが使用するユーザ端末２００へと送信されることになる。
【０１２１】
［１−５．健康管理システムにおける全体的な動作］
図２７は、健康管理システム１における装置間の通信シーケンスを示す図である。以下、同図に即してユーザ端末２００、サーバ装置１００及び指導者端末３００の連携動作を説明する。
【０１２２】
指導対象者（ユーザ）は、例えば毎日１回又は数回、血圧、血糖値、体重及び身体活動量を各測定装置により測定する。ユーザ端末が起動され（ステップＳ１６００）、測定データが各測定装置又はユーザによりユーザ端末２００に入力されると、ユーザ端末は、測定データに測定日時及び指導対象者ＩＤを付加してサーバ装置１００に送信する（ステップＳ１６０１）。
【０１２３】
サーバ装置１００は、ユーザ端末２００から受信した測定データを記憶部１５０における測定データ管理テーブル１５３の一部として記憶させる。サーバ装置１００は、測定データをオブジェクトに変換し、つまり測定データに基づいて健康評価値及び継続性評価値としての各種パラメータを算定してそのパラメータに応じてオブジェクトを特定し（ステップＳ１６０２）、既に指導データがあればその指導データを付加して、そのオブジェクトを、指導対象者ＩＤを送信してきたユーザ端末２００に送信する（ステップＳ１６０３）。ユーザ端末２００は、受信したオブジェクト等を表示する。
【０１２４】
指導者端末３００より、測定データの要求（指導者ＩＤを含む要求）を受信すると（ステップＳ１６０４）、サーバ装置１００は、指導者端末３００を使用する指導者の指導対象となる指導対象者を記憶部１５０の指導対象者管理テーブル１５１を参照して特定し、その指導対象者の測定データを測定データ管理テーブル１５３より抽出して、指導者端末３００に送信する（ステップＳ１６０５）。
【０１２５】
指導者端末３００がサーバ装置１００から受信した測定データを表示し、指導者は測定データを閲覧して、指導対象者に対する健康指導の内容（指導コメント等）を含む指導データを指導者端末３００に入力する（ステップＳ１６０６）。指導者が指導対象とする指導対象者が複数存在する場合には、指導者端末３００は、サーバ装置１００から複数の指導対象者の測定データを受信して表示するので、指導者は指導対象者毎に指導データを入力する。
【０１２６】
指導データの入力を受けた指導者端末３００は、指導データに指導日時を付加してサーバ装置１００に送信する（ステップＳ１６０７）。サーバ装置１００は、指導者端末３００から受信した指導データを、記憶部１５０における指導データ管理テーブル１５２の一部として記憶させて管理する。
【０１２７】
例えば１日後或いは数時間後等といった次の測定タイミングで、指導対象者が測定データを測定するために、ユーザ端末２００を起動する（Ｓ１６０８）。ステップＳ１６０１での処理と同様にユーザ端末２００は、サーバ装置１００に測定データを送信する（ステップＳ１６０９）。ステップＳ１６０２での処理と同様に、サーバ装置１００は、今回受信した測定データ及びそれ以前に受信した測定データを反映して、健康評価値及び継続性評価値としての各種パラメータを算定してそのパラメータに応じてオブジェクトを特定する（ステップＳ１６１０）。サーバ装置１００は、記憶部１５０における指導データ管理テーブル１５２を参照して、ステップＳ１６０７で受信した指導データを抽出して、オブジェクトと共に指導データをユーザ端末２００に送信する（ステップＳ１６１１）。そして、ユーザ端末２００は受信したオブジェクト及び指導データを表示する。
【０１２８】
ステップＳ１６０３及びステップＳ１６１１でのサーバ装置１００からのオブジェクトの送信は、例えば、ステップＳ１６０２或いはステップＳ１６１０で特定したオブジェクトの一部の送信であり、その送信対象となるオブジェクトは記憶部１５０における指導対象者管理テーブル１５１の初期画面種別に従って選択されたオブジェクトである。図２７では省略しているが、その後にユーザ端末２００からの次画面の送信要求を受けてからサーバ装置１００が残りのオブジェクトを選択して送信する。なお、ステップＳ１６０３及びステップＳ１６１１でのサーバ装置１００からのオブジェクトの送信は、例えば、ステップＳ１６０２或いはステップＳ１６１０で特定した全てのオブジェクトの送信であることとしてもよい。この場合には、ユーザ端末２００が、サーバ装置１００より送信されたオブジェクトを表示する前に、サーバ装置１００における指導対象者管理テーブル１５１の初期画面種別に何が設定されているかを確認して、初期画面種別に対応する種別（例えば血圧、血糖値、体重及び身体活動量のいずれか）に主として対応するオブジェクトを最初に表示する。初期画面に表示されていない測定データの種別について表示させたい場合に指導対象者（ユーザ）が所定操作を行うこととして、この場合にユーザ端末２００に別の種別の測定データに対応するオブジェクトを表示する。この所定操作への対応は、例えば、画面中に画面切り替え用の切替ボタンを表示して、その切替ボタンの押下操作を受け付けること等により行える。
【０１２９】
図２８は、ユーザ端末２００でのオブジェクトの表示例を示す図である。図２８は、図６の指導対象者管理テーブル１５１に示した指導対象者Ａが使用するユーザ端末２００に表示された初期画面の例を示している。初期画面種別は、血圧である。
【０１３０】
図２８の例では、画面右上には健康状態の傾向を示す顔オブジェクト１７００が表示され、画面左上には継続性と健康状態との評価を示すオブジェクト群１７１０が表示され、画面下段には指導者からの指導データ（指導コメント）１７２０が表示されている。オブジェクト群１７１０は、継続性を表す土地オブジェクト１７１６上に、建築物オブジェクト等を配置して構成されている。土地オブジェクト１７１６上の手前に現在（今日）の健康状態（初期画面種別に応じた血圧の状態）を示す建築物オブジェクト１７１１を配置し、それ以外の場所に、表示するよう設定されている各種別の測定データに応じた健康状態オブジェクト、要因オブジェクト等を配置している。傾向パラメータに基づく顔オブジェクト１７００は、全期間で血圧の良好な傾向にあり、最近１週間の血圧は状態が維持されている傾向にあることを示している（図１３参照）。評価パラメータに基づく建築物オブジェクト１７１１は、現在の血圧の状態の評価が５段階中の３であることを示している（図１２参照）。また、健康状態オブジェクト１７１２は、現在の血圧は正常高血圧であり、要因オブジェクト１７１３は塩分の摂り過ぎへの注意の必要性が特に高くはないことを示している（図１０、図１５参照）。また、健康状態オブジェクト１７１４は、血糖値は正常な状態にあり、要因オブジェクト１７１５は糖分の摂りすぎへの注意の必要性がないことを示している（図１１、図１６参照）。なお、オブジェクト群１７１０に、指導者から指導対象者へのプレゼントとしてのプレゼントオブジェクト（図９参照）を含めてもよい。サーバ装置１００の制御部１２０が出力部１１２によりユーザ端末２００に送信するオブジェクトは画像（送信する場合においては画像を示すデータ）であるため、複数のオブジェクトからなるオブジェクト群１７１０を、複数の部分的な画像を包含した１つの画像であるオブジェクトとして取り扱うこともできる。
【０１３１】
［１−６．効果］
以上説明したように実施の形態１に係る健康管理システム１では、取得部１１１が、ユーザ（指導対象者）についての測定により生成された測定データを取得し、記憶部１５０に格納する。また、算定部１３０が、ユーザの健康に関する評価のための所定健康評価基準（図１５〜図２３参照）に基づいて、取得部１１１により取得された測定データに応じた健康評価値を算定する。特定部１４０は、算定部１３０により算定された健康評価値に応じてオブジェクトを特定する。そして、その特定されたオブジェクトはユーザ端末２００の表示部２４０において表示される。
【０１３２】
これにより、ユーザ（指導対象者）についての測定に係る測定データを、仮想化したオブジェクトに変換して表示させることができる。従って、ユーザに対して直感的に把握されやすいようにユーザの健康状態に関する情報を提示できる。
【０１３３】
（実施の形態２）
以下、上述した健康管理システム１の一部を変形した態様について、図２９及び図３０を用いて説明する。
【０１３４】
実施の形態２に係る健康管理システムは、実施の形態１に係る健康管理システム１と、主にサーバ装置１００の機能が異なる。以下、実施の形態２に係る健康管理システムにおけるサーバ装置１００ａについて説明する。
【０１３５】
図２９は、実施の形態２に係るサーバ装置１００ａの機能ブロック図である。
【０１３６】
図２９に示すようにサーバ装置１００ａは、実施の形態１に係るサーバ装置１００（図２参照）の一部を変形し、制御部１２０が更に機能構成要素としてポイント付与部１６０を含むようにし、記憶部１５０が更にポイント管理テーブル１５５を記憶するようにしたものである。サーバ装置１００ａの機能構成要素のうち、サーバ装置１００と同じものには同じ符号を付してあり、これらについては説明を省略する。サーバ装置１００ａのハードウェア構成は、サーバ装置１００と同一であり、プロセッサ１０２に実行されるための、メモリ１０３に記憶された制御プログラムの内容が異なることにより、サーバ装置１００ａはサーバ装置１００と異なる機能を発揮する。
【０１３７】
ポイント管理テーブル１５５は、ユーザ（指導対象者）について指導対象者ＩＤと指導対象者の現在の獲得ポイント数とを対応付けて管理するためのテーブルである。
【０１３８】
ポイント付与部１６０は、例えば、記憶部１５０に記憶されている指導対象者についての継続性評価値（継続性パラメータ）を用いて、継続性パラメータの値に応じて、ユーザ（指導対象者）にサービスの提供を受けるために利用可能なポイントを付与する。ポイント付与部１６０は、例えば継続性パラメータの値が高い程多くのポイントを付与する。サーバ装置１００ａは、指導対象者にオブジェクトを送信するタイミングで現在の獲得ポイント数を表す画像であるオブジェクトをユーザ端末２００に送信する。ユーザ端末２００では、獲得ポイント数を示すオブジェクトを表示し、指導対象者は表示された獲得ポイント数を確認できる。
【０１３９】
図３０は、実施の形態２におけるユーザ端末２００でのオブジェクトの表示例を示す図である。図３０の例では、ユーザ端末２００の画面には、獲得ポイント数を示すオブジェクト１９００が表示されており、獲得ポイント数が２であることが表されている。
【０１４０】
指導対象者は、ポイントを使用して、予め定められているサービスを利用できる。サービスは、健康管理システムの一機能として提供されてもよいし、健康管理システムの運用者等により提供されてもよい。これにより、指導対象者の測定に対するモチベーションの向上が図れる。なお、ポイント付与部１６０は、評価パラメータ、傾向パラメータ等に応じてポイントを付与してもよく、例えば健康について良好な状態である程多くのポイントを付与してもよい。また、健康管理システムの利用料金等としてユーザに課金される金額をユーザの獲得ポイント数に応じて減額してもよく、また、ユーザの獲得ポイントに応じた金額或いは数量の健康食品等をユーザにプレゼントとして提供してもよい。
【０１４１】
（実施の形態３）
以下、健康管理システム１の一部を変形した実施の形態３に係る健康管理システム２について、図３１〜図３３を用いて説明する。
【０１４２】
図３１は、実施の形態３に係る健康管理システム２の一構成例を示す概略図である。
【０１４３】
図３１に示すように、健康管理システム２は、実施の形態１で示した健康管理システム１と同様に指導者端末３００を備える他、サーバ装置１００ｂ、ユーザ端末２００ａ及び情報端末８を備える。サーバ装置１００ｂは、ネットワーク１１を介してユーザ端末２００ａ、情報端末８及び指導者端末３００のそれぞれと通信可能である。図３１に示す健康管理システム２の構成要素のうち、健康管理システム１の構成要素と同じものには同じ符号を付してあり、これらについては説明を省略する。また、サーバ装置１００ｂは実施の形態１で示したサーバ装置１００とハードウェア構成は同じで、サーバ装置１００の機能にメッセージ転送機能を追加したものである。ユーザ端末２００ａは実施の形態１で示したユーザ端末２００とハードウェア構成は同じで、ユーザ端末２００の機能に、メッセージ表示機能を追加したものである。
【０１４４】
情報端末８は、ユーザ端末２００と同様に通信Ｉ／Ｆ、プロセッサ、入力Ｉ／Ｆ、ディスプレイ、メモリ等を含んで構成されるコンピュータ（例えばスマートフォン）であり、ユーザ端末２００ａと同様にオブジェクト等を表示する機能と、メール等のメッセージを送受信する機能とを有する。情報端末８は、例えば、ユーザ端末２００ａを使用しているユーザ（指導対象者）と同居していない家族等に使用されることが想定される。
【０１４５】
図３２は、健康管理システム２における装置間の通信シーケンスを示す図である。以下、同図に即してユーザ端末２００ａ、情報端末８、サーバ装置１００ｂ及び指導者端末３００の連携動作を説明する。
【０１４６】
ユーザ端末２００ａ、サーバ装置１００ｂ及び指導者端末３００は、実施の形態１におけるユーザ端末２００、サーバ装置１００及び指導者端末３００と同様の動作を行う（ステップＳ１６００〜Ｓ１６１１）。
【０１４７】
また、サーバ装置１００ｂは、ユーザ端末２００ａに送信するオブジェクト及び指導データと同じデータを情報端末８に送信する（ステップＳ１６１２）。この送信タイミングは、例えば予め定められた周期等に従ったタイミングであるが、この送信タイミングをユーザ端末２００ａへのオブジェクト等の送信と同期させてもよい。情報端末８ではオブジェクト及び指導データを受信して表示する。これにより、情報端末８のユーザ（指導対象者の家族等）は、ユーザ端末２００ａのユーザ（指導対象者）の健康状態等を知ることができる。
【０１４８】
情報端末８のユーザは、指導対象者の健康状態を確認して、健康に関するコメント等を含む指導対象者へのメッセージを入力すると、情報端末８からメッセージがサーバ装置１００ｂに送信される（ステップＳ１６１３）。
【０１４９】
サーバ装置１００ｂは、情報端末８から送信されるメッセージを受信し、そのメッセージをユーザ端末２００ａに送信（転送）する（ステップＳ１６１４）。サーバ装置１００ｂからメッセージを受信すると、ユーザ端末２００ａは、メッセージが届いていることを示すオブジェクトをディスプレイに表示する。
【０１５０】
図３３は、実施の形態３におけるユーザ端末２００ａでのオブジェクトの表示例を示す図である。図３３の例では、ユーザ端末２００ａの画面には、メッセージが届いていることを示すオブジェクト２１００が表示されている。このオブジェクト２１００により、指導対象者は、自分の健康（健康状態、測定の継続性等）に関する家族等からのメッセージが届いたのが分かる。これにより、指導対象者の測定に対するモチベーションの向上が図れる。
【０１５１】
（他の実施の形態等）
以上のように、本出願において開示する技術の例示として、実施の形態１〜３を説明した。しかしながら、本開示における技術は、これに限定されず、適宜、変更、置き換え、付加、省略などを行った実施の形態にも適用可能である。以下、他の実施の形態を例示する。
【０１５２】
上述の実施の形態においては、個々の指導対象者に対して、一人の指導者を対応付けた例を示したが、個々の指導対象者に、複数の指導者が対応することとしてもよい。
【０１５３】
また、指導対象者管理テーブルに、指導対象者が指定した、かかりつけ医についての情報を含ませて、管理してもよい。これにより、指導者が医者の診断が必要であると判断した場合に、かかりつけ医にデータを送付し、判断を仰ぐことが可能となる。また、指導者が医者に診てもらうよう指導データに記載している場合に、指導対象者は、診察を受けに行くときに、測定データを携帯端末にダウンロードして携帯したり、ダウンロードしたデータを印刷して持って行ったり、医者にネットワーク経由で送信することも可能となる。
【０１５４】
また、上述の実施の形態では、血圧の健康状態に関連して高血圧の要因となり得る食塩を表した画像である要因オブジェクトを用いたが、指導者による測定データの分析等から要因が特定できた場合にその特定できた要因を表す画像を要因オブジェクトとして用いることとしてもよい。
【０１５５】
また、上述の実施の形態では、血圧及び血糖値のそれぞれの状態を示すオブジェクトとして、ダムの画像と店舗の画像とを用いたが、例えば、ダムの代わりにホース、道路等を用いてもよい。また、店舗の代わりに森林等を用いてもよい。また、要因を示すオブジェクトとして、高血圧の要因となり得る食塩、高血糖の要因となり得るケーキ、酒等の飲食物等を用いたが、人が摂取し得る物である、たばこを用いてもよい。この場合、パラメータ値に応じて、たばこの吸い殻の数を増減したオブジェクトを表示に用いることができる。このように、オブジェクトは、一例を挙げれば、ホース、ダム、道路、店舗、森林、食塩、砂糖、ごはん、パン、ケーキ、たばこ、及び、アルコール飲料（酒等）のうちの１つ以上を表す画像である。
【０１５６】
また、上述の実施の形態では、オブジェクトとして町を構成する土地、建築物等の画像を用いたが、これに限定されることはなく、オブジェクトは、例えばその他の物体の形状を表す画像であってもよい。この物体は、実体として空間を占める存在であり、また有形の物体は明確なために、物体の形状によれば人々が一定の価値についての認識を共有し易い。つまり、物体の形状は一定の価値等を表し得る。例えば、土地は、広い方が狭いよりも価値が高く、建築物は、形状において大きい或いは複雑である場合に価値が高いと、一般的には考えられている。また、一般的には、壊れた状態の建築物は、壊れていない状態の建築物よりも価値が低いと考えられている。従って、健康管理システムによるオブジェクトへの変換によって、健康についての状態の良し悪し等を、物体の良し悪し（つまり価値）に置き換えると、ユーザにとって理解され易いという効果が生じ得る。即ち、物体の形状を表す画像であるオブジェクトにより健康についての状態が表されると、グラフ、数値、文字等で表されるよりもユーザにとって直感的に状態が把握される効果が生じ得る。なお、物体の形状を画像で表すときの表現方法は、特に一定のものに制限されるものではなく、例えば、オブジェクトである画像は、物体の写真画像であっても、物体の動画像であっても、物体の形状をデフォルメ（変形）して描かれた画像（例えば物体をモチーフとして描かれた画像）であってもよく、絵、図、マーク、イラスト等のイメージ（画像）であってもよい。なお、食塩等の１粒という単位の小さい物体を表す画像のオブジェクトは、例えばある程度の大きさの塊（ブロック）、容器等の形状を用いることで食塩の形状を表現した画像であってもよい（図１０参照）。また、酒等のアルコール飲料（液体）を表す画像のオブジェクトは、例えば徳利（容器）等の形状を用いることで酒の形状を表現した画像であってもよい（図１１参照）。
【０１５７】
また、更に、オブジェクトは、物体の形状を表す画像に限定されることはなく、事物を表す画像であれば足りる。この事物は、物体、事件、現象等を含む物事であり、架空の物体（例えば想像上の物等）、架空の事件等を含む。事物を表す画像には、形状を有しない物体を表した画像も含まれる。また、健康管理システムにおいて、指導対象者の嗜好を考慮したオブジェクトを用いてもよい。例えば、スポーツが好きな指導対象者に対して提示するオブジェクト（つまり測定データに応じて特定して表示されるようにするオブジェクト）は、指導対象者の測定の継続性、健康状態に係る評価に応じて、スポーツ選手（プレイヤー）が上達するような様子を表す画像であってもよい。また、健康管理システムは、指導対象者の測定の継続性、健康状態に係る評価に応じて、指導対象者が興味のあるものに係る画像を収集できるように、オブジェクトの提示を行ってもよい。
【０１５８】
また、上述の実施の形態で示した健康管理システムにおけるユーザ端末２００は、測定データをサーバ装置１００に送信する。この送信に際して、ユーザが入力した指導者への質問を付加して、サーバ装置１００に送信してもよい。この場合、サーバ装置１００は、指導対象者に測定データと指導対象者からの質問とを送信し、指導者端末３００を介して送信される指導者からの、質問への回答を受信して、その回答をオブジェクトに付加してユーザ端末２００へ送信する。そして、ユーザ端末２００で、オブジェクトと同時に質問と回答とを表示することとしてもよい。
【０１５９】
また、上述の実施の形態では、サーバ装置１００が測定データに基づいて健康評価値及び継続性評価値の算定及びオブジェクトの特定を行ったが、このサーバ装置１００の機能をユーザ端末２００、或いは、指導者端末３００が有することとしてもよい。例えば、上述したユーザ端末２００に、更に算定部１３０、特定部１４０及び記憶部１５０の機能を含ませるようにユーザ端末２００を構成してもよく、この場合には、サーバ装置１００は不要となる。この場合には、ユーザの健康を管理する健康管理装置として機能することとなるユーザ端末２００（図４）において、プロセッサ２０２が、ユーザについての測定により生成された測定データに基づいて定められた健康評価値に応じて、事物を表す画像であるオブジェクトを特定し、特定したオブジェクトをディスプレイ２０４に表示させるための制御信号を送出する。そして、ディスプレイ２０４が、プロセッサ２０２から送出されるオブジェクトを表示させるための制御信号に応じてオブジェクトを表示する。また、サーバ装置１００が健康評価値及び継続性評価値の算定を行って、特定部１４０の機能をユーザ端末２００が分担する等と、サーバ装置１００の機能の一部をユーザ端末２００が行うようにユーザ端末２００を構成してもよい。また、例えば、サーバ装置１００が、各データの管理（記憶保持）のみを行うこととしてもよい。また、健康管理システムが指導者端末３００を備えないこととして、サーバ装置１００において直接指導者が指導データ（例えば指導補正値、指導コメント等）を入力することとしてもよい。また、健康管理システムが指導者端末３００を備えない場合に、指導データを取り扱わないこととしてもよい。この場合においても、健康管理システムにより、ユーザについての測定により生成された測定データに応じて算定された健康評価値に対応して特定されたオブジェクトがユーザ端末２００に表示されるので、ユーザは直感的に健康状態等を把握できるようになる。また、ユーザ端末２００は、測定データを測定するための測定装置と一体化していてもよい。
【０１６０】
また、上述の実施の形態で示した管理テーブル群（指導対象者管理テーブル１５１等）において管理テーブルに設定される項目及び値は、上述した以外のものであってもよく、例えば、数値、記号、文字等いかなる形式の値であってもよい。また、指導対象者管理テーブル１５１において血圧フラグ、血糖値フラグ以外にも、他の種別の測定データに対応するフラグを設けてもよく、また、必ずしも血圧フラグ、血糖値フラグを設けなくてもよい。また、指導データ管理テーブル１５２における指導データに血圧補正値等の補正値を含めなくてもよいし、その補正値の対象となる測定データの種別も血圧等に限定されるものではない。
【０１６１】
また、上述の実施の形態で示した健康評価値及び継続性評価値（つまり各パラメータ値等）は、必ずしも数値でなくても、文字、記号等の形式で表現されていてもよく、その形式に対応して、特定部１４０を、健康評価値又は継続性評価値に基づいてオブジェクトの特定ができるように構成していればよい。
【０１６２】
また、上述の実施の形態で示した健康管理システムにおける各種処理の実行順序（例えば図１４、図２４、図２７、図３２に示した手順等）は、必ずしも実施の形態で記載した通りの順序に制限されるものではなく、発明の要旨を逸脱しない範囲で実行順序を入れ替えることができる。
【０１６３】
また、上述の実施の形態で示した健康管理システムにおける各装置の機能構成要素（機能ブロック）は、ＩＣ（Integrated Circuit）、ＬＳＩ（Large Scale Integration）等の半導体装置により個別に１チップ化されてもよいし、一部又は全部を含むように１チップ化されてもよい。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。更には、半導体技術の進歩又は派生する別技術によりＬＳＩに置き換わる集積回路化の技術が登場すれば、その技術を用いて機能ブロックの集積化を行ってもよい。バイオ技術の適用等が可能性としてあり得る。
【０１６４】
また、上述した各種処理（例えば図１４、図２４に示した処理等）の全部又は一部は、装置のハードウェアにより実現されても、ソフトウェアを用いて実現されてもよい。なお、ソフトウェアによる処理は、装置に含まれるプロセッサがメモリに記憶された制御プログラムを実行することにより実現されるものである。また、その制御プログラムを記録媒体に記録して頒布や流通させてもよい。例えば、頒布された制御プログラムを装置にインストールして、装置のプロセッサに実行させることで、装置に各種処理（図１４、図２４に示した処理等）を行わせることが可能となる。
【産業上の利用可能性】
【０１６５】
本開示は、健康の維持増進を支援する健康管理システムに利用可能である。
【符号の説明】
【０１６６】
１、２  健康管理システム
４  体重計
５  血糖値計
６  血圧計
７  活動量計
８  情報端末
１１  ネットワーク
２１、１７１６  土地オブジェクト
２２、３２ａ、３２ｂ、１７１１  建築物オブジェクト
２３  プレゼントオブジェクト
２４、２６、１７１２、１７１４  健康状態オブジェクト
２５、２７、１７１３、１７１５  要因オブジェクト
３１ａ  町オブジェクト
１００、１００ａ、１００ｂ  サーバ装置
１０１、２０１、３０１  通信インタフェース
１０２、２０２、３０２  プロセッサ
１０３、２０５、３０５  メモリ
１１０、２１０、３１０  通信部
１１１  取得部
１１２  出力部
１２０、２２０、３２０  制御部
１３０  算定部
１４０  特定部
１５０  記憶部
１５１  指導対象者管理テーブル
１５２  指導データ管理テーブル
１５３  測定データ管理テーブル
１５４  オブジェクト管理テーブル
１５５  ポイント管理テーブル
１６０  ポイント付与部
２００、２００ａ  ユーザ端末
２０３、３０３  入力インタフェース
２０４、３０４  ディスプレイ
２３０、３３０  入力部
２４０、３４０  表示部
３００  指導者端末
１７００  顔オブジェクト
１７１０  オブジェクト群
１９００、２１００  オブジェクト
【図１】
0006566241.tif 000002
【図２】
0006566241.tif 000003
【図３】
0006566241.tif 000004
【図４】
0006566241.tif 000005
【図５】
0006566241.tif 000006
【図６】
0006566241.tif 000007
【図７】
0006566241.tif 000008
【図８】
0006566241.tif 000009
【図９】
0006566241.tif 000010
【図１０】
0006566241.tif 000011
【図１１】
0006566241.tif 000012
【図１２】
0006566241.tif 000013
【図１３】
0006566241.tif 000014
【図１４】
0006566241.tif 000015
【図１５】
0006566241.tif 000016
【図１６】
0006566241.tif 000017
【図１７】
0006566241.tif 000018
【図１８】
0006566241.tif 000019
【図１９】
0006566241.tif 000020
【図２０】
0006566241.tif 000021
【図２１】
0006566241.tif 000022
【図２２】
0006566241.tif 000023
【図２３】
0006566241.tif 000024
【図２４】
0006566241.tif 000025
【図２５】
0006566241.tif 000026
【図２６】
0006566241.tif 000027
【図２７】
0006566241.tif 000028
【図２８】
0006566241.tif 000029
【図２９】
0006566241.tif 000030
【図３０】
0006566241.tif 000031
【図３１】
0006566241.tif 000032
【図３２】
0006566241.tif 000033
【図３３】
0006566241.tif 000034